(57)【特許請求の範囲】
【請求項１】
電気光学位置検出スイッチシステムを備えた充電式バッテリジャンプスタート装置であって、
第１の１２Ｖバッテリと、
第２の１２Ｖバッテリと、
前記第１の１２Ｖバッテリと前記第２の１２Ｖバッテリとに対して電気的に接続された電気制御スイッチであり、前記第１の１２Ｖバッテリと前記第２の１２Ｖバッテリとを並列に接続するための並列スイッチ位置と、前記第１の１２Ｖバッテリと前記第２の１２Ｖバッテリとを直列に接続するための直列スイッチ位置と、を有した電気制御スイッチと、
前記電気制御スイッチに対して電気的に接続されたマイクロコントローラユニットと、
前記マイクロコントローラに対して電気的に接続された光カプラであり、前記電気制御スイッチの位置を示す信号を、前記マイクロコントローラに対して提供する光カプラと、
を含む、充電式バッテリジャンプスタート装置。
【請求項２】
前記システムが「オフ」状態である時の寄生電流を低減し得るように構成されたイネーブル回路を更に含む、請求項１に記載の装置。
【請求項３】
前記イネーブル回路は、前記電気光学位置検出システムが「オン」状態である時には電気的スイッチとして機能するトランジスタを含み、これにより、前記第１の１２Ｖバッテリから前記トランジスタを通して電流が流れることを可能とする、請求項２に記載の装置。
【請求項４】
前記イネーブル回路は、前記トランジスタが「オン」である時には、前記第１バッテリと前記第２バッテリとが並列に接続されている場合に、電流が前記第１バッテリから前記第２バッテリへと流れ得るように構成されている、請求項３に記載の装置。
【請求項５】
前記イネーブル回路は、前記第１バッテリと前記第２バッテリとが直列に接続されている場合に、電流が前記第１バッテリから前記第２バッテリへと流れないように構成されている、請求項３に記載の装置。
【請求項６】
前記イネーブル回路は、電流が流れている場合又は電流が流れていない場合に、それにより、前記制御スイッチがどの位置にあるかを知らせる信号を、前記光カプラが前記マイクロコントローラユニットに対して提供し得るように、構成されている、請求項３に記載の装置。
【請求項７】
前記イネーブル回路は、前記制御スイッチが１２Ｖ位置と２４Ｖ位置との間の「中間」位置にある時を前記マイクロコントローラが決定できるように、反対の信号が、前記マイクロコントローラユニットに対する個別入力として提供されるように構成されている、請求項６に記載の装置。
【請求項８】
前記電気制御スイッチは、透光ウィンドウを有した制御ノブと、この制御ノブの背面側に配置されたバックライトであり、このバックライトがオンとされた時には前記制御スイッチの前記透光ウィンドウを点灯させるバックライトと、を含む、請求項１に記載の装置。
【請求項９】
前記電気制御スイッチには、制御ノブが設けられ、前記制御ノブは、遮光性不透明部分と、前記透光ウィンドウとして機能するように構成された透明部分又はシースルー部分と、を含む、請求項８に記載の装置。
【請求項１０】
前記制御ノブの背面側に配置されたプリント回路基板を更に含み、前記バックライトは、前記プリント回路基板上に取り付けられた発光ダイオード（ＬＥＤ）である、請求項９に記載の装置。
【請求項１１】
前記電気制御スイッチと前記第１の１２Ｖバッテリと前記第２の１２Ｖバッテリとに対して電気的に接続された剛性高導電性フレームを更に含む、請求項１に記載の装置。
【請求項１２】
前記制御スイッチに対して接続された逆電流ダイオードアレイないし逆流ダイオードアセンブリを更に含む、請求項１に記載の装置。
【請求項１３】
前記逆電流ダイオードアレイに対して接続された、正極のバッテリケーブル及びバッテリクランプを更に含む、請求項１２に記載の装置。
【請求項１４】
前記制御スイッチに対して接続されたスマートスイッチを更に含む、請求項１に記載の装置。
【請求項１５】
前記スマートスイッチに対して接続された、負極のバッテリケーブル及びバッテリクランプを更に含む、請求項１４に記載の装置。
【発明の詳細な説明】
【技術分野】
【０００１】
このＰＣＴ出願は、２０１８年９月５日付けで出願された国際出願ＰＣＴ／ＵＳ１８／４９５４８号明細書、２０１７年１０月６日付けで出願された米国仮特許出願第６２／５６９，３５５号明細書、２０１７年１０月６日付けで出願された米国仮特許出願第６２／５６９，２４３号明細書、２０１７年１０月６日付けで出願された米国仮特許出願第６２／５６８，９６７号明細書、２０１７年１０月５日付けで出願された米国仮特許出願第６２／５６８，５３７号明細書、２０１７年１０月４日付けで出願された米国仮特許出願第６２／５６８，０４４号明細書、２０１７年１０月３日付けで出願された米国仮特許出願第６２／５６７，４７９号明細書、２０１７年９月２５日付けで出願された米国仮特許出願第６２／５６２，７１３号明細書、２０１７年９月２２日付けで出願された米国仮特許出願第６２／５６１，８５０号明細書、２０１７年９月２２日付けで出願された米国仮特許出願第６２／５６１，７５１号明細書、に基づく優先権を享受するものであり、これらすべての出願は、その内容を参照により本明細書に援用される。
【０００２】
本発明は、制御スイッチ（例えば、回転制御スイッチ）と光学位置検出スイッチシステムとを備えた充電式バッテリジャンプスタート装置に関する。例えば、充電式バッテリジャンプスタート装置は、自動車、重機、商用車、商用機器、トラック、バス、商用トラック、フロントローダ、ドーザ、バックホー、掘削機、ローラ、フォークリフト、特殊な商用機器、伐採機器、飛行機、ジェット機、並びに他のバッテリ始動する車両及び機器、をジャンプスタートし得るように構成された携帯型充電式バッテリジャンプスタート装置である。
【背景技術】
【０００３】
現在、自動車のジャンプスタートなどの軽負荷用途向けのバッテリジャンプスタータが存在する。これらの軽負荷向けのジャンプスタータは、バッテリに対して接続された又はバッテリに対して接続可能とされたバッテリケーブルを含む電源回路を備えている。
【０００４】
さらに、従来の鉛蓄電池を使用した高負荷向けのバッテリジャンプスタータが存在する。これらのジャンプスタータは、重量が非常に重いため（例えば、数百ポンド（およそ１００ｋｇ〜１５０ｋｇ））、また寸法も大きいため、これらのジャンプスタータを移動させるためには、例えば、フォークリフトを使用する必要がある。現在の高負荷向けのバッテリジャンプスタータは、いかなる方法によっても携帯型ではない。
【０００５】
よって、従来の高負荷向けのバッテリジャンプスタータを置き換え得るよう、重量及びサイズが大幅に低減された携帯型の高負荷向け充電式バッテリジャンプスタート装置が要望されている。
【０００６】
さらに、着脱可能な正極ケーブル及び着脱可能な負極ケーブルを有した携帯型の高負荷向け充電式バッテリジャンプスタート装置が要望されている。
【０００７】
加えて、昼光下、日光下、暗い中、また暗闇において携帯型充電式バッテリジャンプスタート装置の特定の動作モードを選択するに際してユーザが制御スイッチの選択可能な位置を見ることを支援し得るよう、主スイッチバックライトシステムを有した携帯型充電式バッテリジャンプスタート装置が要望されている。
【０００８】
さらに、１２Ｖでの動作モードと２４Ｖでの動作モードとを有した携帯型充電式バッテリジャンプスタート装置が要望されている。
【０００９】
また、デュアルバッテリダイオードブリッジ又は逆充電ダイオードモジュールを有した携帯型充電式バッテリジャンプスタート装置が要望されている。
【００１０】
さらに、リープフロッグ（ｌｅａｐｆｒｏｇ）充電システムを有した携帯型充電式バッテリジャンプスタート装置が要望されている。
【００１１】
加えて、携帯型充電式バッテリスタート装置のバッテリから、ジャンプスタートの対象をなすバッテリへと、可能な限り多くの電力を伝導し得るよう、携帯型充電式バッテリジャンプスタート装置において使用するための、例えば高導電性剛性フレームなどの高導電性フレームが要望されている。
【００１２】
また、電子機器と一緒に使用し得るよう、例えばリチウムイオンバッテリアセンブリなどの、改良されたバッテリアセンブリが要望されている。
【発明の概要】
【００１３】
本明細書において説明する主題は、バッテリジャンプスタート装置を対象とする。
【００１４】
本明細書において説明する主題は、新規な携帯型の充電式バッテリジャンプスタート装置を対象とする。
【００１５】
本明細書において説明する主題は、改良されたバッテリジャンプスタート装置を対象とする。
【００１６】
本明細書において説明する主題は、改良された携帯型の充電式バッテリジャンプスタート装置を対象とする。
【００１７】
本明細書において説明する主題は、高負荷向けのバッテリジャンプスタート装置を対象とする。
【００１８】
本明細書において説明する主題は、高負荷向けで携帯型の充電式バッテリジャンプスタート装置を対象とする。
【００１９】
本明細書において説明する主題は、携帯型充電式バッテリジャンプスタート装置などのバッテリジャンプスタート装置を対象とするものであり、装置は、高導電性フレームに対して接続された１つ又は複数のバッテリを含む又は含んで構成されている。
【００２０】
本明細書において説明する主題は、携帯型充電式ジャンプスタート装置などのバッテリジャンプスタート装置を対象とするものであり、装置は、高導電性フレームに対して接続された１つ又は複数の充電式バッテリを含む又は含んで構成されている。
【００２１】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、正極バッテリケーブルに対して及び負極バッテリケーブルに対して、接続されている又は接続可能とされている。
【００２２】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、正極バッテリケーブルに対して及び負極バッテリケーブルに対して、接続されている又は電気的に接続可能とされている。
【００２３】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含む又は含んで構成された充電式バッテリアセンブリを含む又は含んで構成されている。
【００２４】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含む又は含んで構成された充電式バッテリアセンブリを含み又は含んで構成され、高導電性フレームは、正極バッテリケーブルに対して及び負極バッテリケーブルに対して、接続されている又は接続可能とされている。
【００２５】
本明細書において説明する主題は、携帯型充電式バッテリジャンプスタート装置などのバッテリジャンプスタート装置を対象とするものであり、装置は、高導電性フレームに対して接続された１つ又は複数の充電式リチウムイオン（「Ｌｉイオン」）バッテリを含む又は含んで構成されている。
【００２６】
本明細書において説明する主題は、携帯型充電式バッテリジャンプスタート装置などのバッテリジャンプスタート装置を対象とするものであり、装置は、高導電性フレームに対して接続された１つ又は複数の充電式リチウムイオン（「Ｌｉイオン」）バッテリを含む又は含んで構成されている。
【００２７】
本明細書において説明する主題は、携帯型充電式バッテリジャンプスタート装置などのバッテリジャンプスタート装置を対象とするものであり、装置は、高導電性フレーム又は高電流容量フレームに対して接続された１つ又は複数の充電式リチウムイオン（「Ｌｉイオン」）バッテリを含む又は含んで構成されている。
【００２８】
本明細書において説明する主題は、携帯型充電式バッテリジャンプスタート装置などのバッテリジャンプスタート装置を対象とするものであり、装置は、高導電性フレームに対して接続された２つ以上の充電式バッテリを含む又は含んで構成されている。
【００２９】
本明細書において説明する主題は、携帯型充電式バッテリジャンプスタート装置などのバッテリジャンプスタート装置を対象とするものであり、装置は、高導電性フレームに対して接続された２つ以上の充電式Ｌｉイオンバッテリを含む又は含んで構成されている。
【００３０】
本明細書において説明する主題は、携帯型充電式バッテリジャンプスタート装置などのバッテリジャンプスタート装置を対象とするものであり、装置は、高導電性フレームに対して接続された２つ以上の充電式Ｌｉイオンバッテリを含んでいる。
【００３１】
本明細書において説明する主題は、携帯型充電式バッテリジャンプスタート装置などのバッテリジャンプスタート装置を対象とするものであり、装置は、高導電性フレーム又は高電流容量フレームに対して接続された２つ以上の充電式Ｌｉイオンバッテリを含む又は含んで構成されている。
【００３２】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、１つ又は複数のバッテリを少なくとも部分的に囲んでいる。
【００３３】
本明細書において説明する主題は、携帯型充電式バッテリジャンプスタート装置などのバッテリジャンプスタート装置を対象とするものであり、装置は、高導電性剛性フレームに対して接続された１つ又は複数の充電式バッテリを含み又は含んで構成され、高導電性剛性フレームは、１つ又は複数のバッテリを少なくとも部分的に囲み得るように構成されている。
【００３４】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、１つ又は複数のバッテリを完全に囲み得るように構成されている。
【００３５】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、１つ又は複数の充電式バッテリを完全に囲み得るように構成されている。
【００３６】
本明細書において説明する主題は、携帯型充電式バッテリジャンプスタート装置などのバッテリジャンプスタート装置を対象とするものであり、装置は、高導電性フレームに対して接続された１つ又は複数の充電式Ｌｉイオンバッテリを含み又は含んで構成され、高導電性フレームは、１つ又は複数の充電式バッテリを少なくとも部分的に囲み得るように構成されている。
【００３７】
本明細書において説明する主題は、携帯型充電式バッテリジャンプスタート装置などのバッテリジャンプスタート装置を対象とするものであり、装置は、高導電性フレームに対して接続された１つ又は複数の充電式Ｌｉイオンバッテリを含み又は含んで構成され、高導電性フレームは、１つ又は複数の充電式バッテリを少なくとも部分的に囲み得るように構成されている。
【００３８】
本明細書において説明する主題は、携帯型充電式バッテリジャンプスタート装置などのバッテリジャンプスタート装置を対象とするものであり、装置は、高導電性フレームに対して接続された１つ又は複数の充電式Ｌｉイオンバッテリを含み又は含んで構成され、高導電性フレームは、１つ又は複数の充電式バッテリを完全に囲み得るように構成されている。
【００３９】
本明細書において説明する主題は、携帯型充電式バッテリジャンプスタート装置などのバッテリジャンプスタート装置を対象とするものであり、装置は、高導電性フレームに対して接続された１つ又は複数の充電式Ｌｉイオンバッテリを含み又は含んで構成され、高導電性フレームは、１つ又は複数の充電式バッテリを完全に囲み得るように構成されている。
【００４０】
本明細書において説明する主題は、携帯型充電式バッテリジャンプスタート装置などのバッテリジャンプスタート装置を対象とするものであり、装置は、高導電性剛性フレームに対して接続された１つ又は複数の充電式バッテリを含む又は含んで構成されている。
【００４１】
本明細書において説明する主題は、携帯型充電式バッテリジャンプスタート装置などのバッテリジャンプスタート装置を対象とするものであり、装置は、高導電性剛性フレームに対して接続された１つ又は複数の充電式バッテリを含み又は含んで構成され、高導電性剛性フレームは、１つ又は複数の導電性フレーム部材を含んでいる。
【００４２】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、１つ又は複数の導電性フレーム部材を含んでいる。
【００４３】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、導電性の金属製の、プレート、ロッド、バー、及び／又は、チューブ、などの１つ又は複数の導体を含んでいる。
【００４４】
本明細書において説明する主題は、携帯型充電式バッテリジャンプスタート装置などのバッテリジャンプスタート装置を対象とするものであり、装置は、高導電性フレームに対して接続された１つ又は複数の充電式バッテリを含み又は含んで構成され、高導電性フレームは、導電性の銅（Ｃｕ）製の、プレート、ロッド、バー、及び／又は、チューブ、などの１つ又は複数の導体を含んでいる。
【００４５】
本明細書において説明する主題は、携帯型充電式バッテリジャンプスタート装置などのバッテリジャンプスタート装置を対象とするものであり、装置は、高導電性剛性フレームに対して接続された１つ又は複数のバッテリを含み又は含んで構成され、高導電性剛性フレームは、導電性の銅（Ｃｕ）製の、プレート、ロッド、バー、及び／又は、チューブ、などの１つ又は複数の剛直な導体を含んでいる。
【００４６】
本明細書において説明する主題は、高導電性カムロック電気接続デバイスを対象とする。
【００４７】
本明細書において説明する主題は、携帯型充電式バッテリジャンプスタート装置などのバッテリジャンプスタート装置において使用するための高導電性カムロック電気接続デバイスを対象とする。
【００４８】
本明細書において説明する主題は、携帯型充電式バッテリジャンプスタート装置などのバッテリジャンプスタート装置と組み合わせた高導電性カムロック電気接続デバイスを対象とする。
【００４９】
本明細書において説明する主題は、メス型カムロック端部に対して着脱可能に接続されるオス型カムロック端部を含む又は含んで構成された高導電性カムロック電気接続デバイスを対象とする。
【００５０】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とする。
【００５１】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、接続構成は、オス型カムロック端部をメス型カムロックデバイス内において回転させた時には、締付をもたらし得るように構成されている。
【００５２】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロックデバイスとメス型カムロックとは、高導電性材料から形成されている。
【００５３】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロックデバイスとメス型カムロックとは、高導電性材料から形成され、オス型カムロック端部は、歯を有したピンを含み、メス型カムロック端部は、スロットが設けられたレセプタクルを含み、レセプタクルは、オス型カムロック端部のピン及び歯を収容し得るように構成されている。
【００５４】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロックデバイスとメス型カムロックとは、高導電性材料から形成され、オス型カムロック端部は、歯を有したピンを含み、メス型カムロック端部は、スロットが設けられたレセプタクルを含み、レセプタクルは、オス型カムロック端部のピン及び歯を収容し得るように構成され、メス型カムロック端部のレセプタクルには、オス型カムロック端部の歯と協働するための内部ネジ山が設けられている。
【００５５】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロックデバイスとメス型カムロックとは、高導電性材料から形成され、オス型カムロック端部は、歯を有したピンを含み、メス型カムロック端部は、スロットが設けられたレセプタクルを含み、レセプタクルは、オス型カムロック端部のピン及び歯を収容し得るように構成され、メス型カムロック端部のレセプタクルには、オス型カムロック端部の歯と協働するための内部ネジ山が設けられ、オス型カムロック端部は、端面部分を含み、メス型カムロック端部は、端面部分を含み、これらの端面部分どうしは、カムロック接続デバイスが完全に締め付けられた時には、互いに係合する。
【００５６】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に装着されたゴム成形カバーと、メス型カムロック端部に装着された他のゴム成形カバーと、を更に含む。
【００５７】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に装着されたゴム成形カバーと、メス型カムロック端部に装着された他のゴム成形カバーと、を更に含み、メス型カムロック端部には、このメス型カムロック端部上にゴム成形カバーを固定し得るよう、外面ネジ山部分及びナットが設けられている。
【００５８】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に装着されたゴム成形カバーと、メス型カムロック端部に装着された他のゴム成形カバーと、を更に含み、オス型カムロック端部には、ゴム成形カバー内の１つ又は複数の内部スロットに対して協働する１つ又は複数の外向きに延びる突起が設けられている。
【００５９】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロックデバイスとメス型カムロックとは、高導電性材料から形成され、オス型カムロック端部は、歯を有したピンを含み、メス型カムロック端部は、スロットが設けられたレセプタクルを含み、レセプタクルは、オス型カムロック端部のピン及び歯を収容し得るように構成され、スロットには、メス型カムロック端部のピンの歯に対しての係止体として機能する内面が設けられている。
【００６０】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に対して接続されたケーブルを更に含む。
【００６１】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に対して接続されたケーブルを更に含み、ケーブルは、バッテリケーブルとされている。
【００６２】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に対して接続されたケーブルを更に含み、ケーブルは、バッテリケーブルとされ、バッテリジャンプスタート装置に関連して、メス型カムロック端部が、バッテリジャンプスタート装置に対して接続されている。
【００６３】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に対して接続されたケーブルを更に含み、ケーブルは、バッテリケーブルとされ、バッテリジャンプスタート装置に関連して、メス型カムロック端部が、バッテリジャンプスタート装置に対して接続され、バッテリジャンプスタート装置は、１つ又は複数のバッテリに対して接続された高導電性剛性フレームを含み、メス型カムロック端部は、高導電性フレームに対して接続されている。
【００６４】
本明細書において説明する主題は、高導電性オス型カムロック端部と、高導電性メス型カムロック端部と、高導電性オス型カムロック端部と高導電性メス型カムロック端部とを互いに結合させた時にそれらの間において電力を伝導させるための、それらの間の高導電性接続構成と、を含む又は含んで構成された高導電性カムロック電気接続デバイスを対象とするものであり、オス型カムロック端部に対して接続されたケーブルを更に含み、ケーブルは、バッテリケーブルとされ、バッテリジャンプスタート装置に関連して、メス型カムロック端部が、バッテリジャンプスタート装置に対して接続され、バッテリジャンプスタート装置は、１つ又は複数のバッテリに対して接続された高導電性剛性フレームを含み、メス型カムロック端部は、高導電性フレームに対して接続され、バッテリジャンプスタート装置は、正極バッテリクランプを有した正極バッテリケーブルであるとともに高導電性剛性フレームに対して接続された正極バッテリケーブルと、負極バッテリクランプを有した負極バッテリケーブルであるとともに高導電性剛性フレームに対して接続された負極バッテリケーブルと、を含んでいる。
【００６５】
本明細書において説明する主題は、電子機器のための改良された電気制御スイッチを対象とする。
【００６６】
本明細書において説明する主題は、携帯型充電式バッテリジャンプスタート装置などのバッテリジャンプスタート装置とともに使用するための改良された電気制御スイッチを対象とする。
【００６７】
本明細書において説明する主題は、携帯型充電式バッテリジャンプスタート装置などのバッテリジャンプスタート装置と組み合わせた改良された電気制御スイッチを対象とする。
【００６８】
本発明の主題は、バックライト付きの制御ノブを有した改良された電気制御スイッチを対象とする。
【００６９】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含んでいる。
【００７０】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、制御ノブは、遮光性不透明部分と、透光ウィンドウとして機能し得るように構成された透明部分又はシースルー部分と、を含んでいる。
【００７１】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたプリント回路基板を更に含み、バックライトは、プリント回路基板上に取り付けられた発光ダイオード（ＬＥＤ）とされている。
【００７２】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられている。
【００７３】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、電子機器は、バッテリジャンプスタート装置とされている。
【００７４】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、ジャンプスタート装置は、カバーと、このカバーの内部に配置されたバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含んでいる。
【００７５】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、ジャンプスタート装置は、カバーと、このカバーの内部に配置された第１の１２Ｖバッテリと、カバーの内部に配置された第２の１２Ｖバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、制御スイッチは、カバーを貫通し、制御スイッチは、第１の１２Ｖバッテリと第２の１２Ｖバッテリとに対して電気的に接続され、制御ノブは、１２Ｖ動作位置と２４Ｖ動作位置との間にわたって選択的に回転し得るように構成され、制御スイッチは、１２Ｖモード又は２４Ｖモードにおいてジャンプスタート装置を選択的に動作させ得るように構成されている。
【００７６】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、ジャンプスタート装置は、カバーと、このカバーの内部に配置された第１の１２Ｖバッテリと、カバーの内部に配置された第２の１２Ｖバッテリと、第１の１２Ｖバッテリと第２の１２Ｖバッテリとに対して接続された高導電性剛性フレーム部材と、制御ノブの透明部分又はシースルー部分を点灯させるためのバックライトＬＥＤであるとともにプリント基板上に取り付けられたバックライトＬＥＤと、正極クランプを有した正極ケーブルであるとともにバッテリに対して接続された正極ケーブルと、負極クランプを有した負極ケーブルであるとともに高導電性剛性フレームに対して接続された負極ケーブルと、カバーの内部に配置されたプリント回路基板と、を含み、制御スイッチは、カバーを貫通し、制御スイッチは、高導電性剛性フレームに対して電気的に接続され、制御ノブは、１２Ｖ動作位置と２４Ｖ動作位置との間にわたって選択的に回転し得るように構成され、制御スイッチは、１２Ｖモード又は２４Ｖモードにおいてジャンプスタート装置を選択的に動作させ得るように構成されている。
【００７７】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電気制御スイッチバックライトシステムがオンとされた時には、バックライトを点灯し得るように構成されている。
【００７８】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを、更に含む。
【００７９】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを更に含み、インターフェースは、メンブランラベルを含んでいる。
【００８０】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを更に含み、インターフェースは、メンブランラベルを含み、インターフェースは、１つ又は複数のバックライトインジケータを含んでいる。
【００８１】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを更に含み、インターフェースは、メンブランラベルを含み、インターフェースは、１つ又は複数のバックライトインジケータを含み、１つ又は複数のバックライトインジケータは、バッテリジャンプスタート装置の動作の電圧モードを選択的に表示し得るように構成されている。
【００８２】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを更に含み、インターフェースは、メンブランラベルを含み、インターフェースは、１つ又は複数のバックライトインジケータを含み、１つ又は複数のバックライトインジケータは、バッテリジャンプスタート装置のリアルタイムでの動作電圧を可変的に表示し得るように構成されている。
【００８３】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、制御ノブの背面側に配置されたインターフェースを更に含み、インターフェースは、メンブランラベルを含み、インターフェースは、１つ又は複数のバックライトインジケータを含み、１つ又は複数のバックライトインジケータは、バッテリジャンプスタート装置がオンとされた時には、点灯し得るように構成されている。
【００８４】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、ジャンプスタート装置は、カバーと、このカバーの内部に配置されたバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、バッテリは、第１の１２Ｖバッテリ及び第２の１２Ｖバッテリとされている。
【００８５】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、ジャンプスタート装置は、カバーと、このカバーの内部に配置されたバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、バッテリは、Ｌｉイオンバッテリとされている。
【００８６】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、電子機器は、バッテリジャンプ充電装置とされ、このバッテリジャンプ充電装置は、カバーと、このカバーの内部に配置された第１の１２Ｖバッテリと、カバーの内部に配置された第２の１２Ｖバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、制御スイッチは、カバーを貫通し、制御スイッチは、第１の１２Ｖバッテリと第２の１２Ｖバッテリとに対して電気的に接続され、制御ノブは、１２Ｖ動作位置と２４Ｖ動作位置との間にわたって選択的に回転し得るように構成され、制御スイッチは、１２Ｖモード又は２４Ｖモードにおいてバッテリジャンプ充電装置を選択的に動作させ得るように構成され、バッテリジャンプ充電装置は、第１の１２Ｖバッテリと第２の１２Ｖバッテリと制御スイッチとに対して電気的に接続された高導電性剛性フレームを更に含み、制御スイッチは、１２Ｖモード又は２４Ｖモードにおいてバッテリジャンプ充電装置を選択的に動作させ得るように構成されている。
【００８７】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、電子機器は、バッテリジャンプ充電装置とされ、このバッテリジャンプ充電装置は、カバーと、このカバーの内部に配置された第１の１２Ｖバッテリと、カバーの内部に配置された第２の１２Ｖバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、制御スイッチは、カバーを貫通し、制御スイッチは、第１の１２Ｖバッテリと第２の１２Ｖバッテリとに対して電気的に接続され、制御ノブは、１２Ｖ動作位置と２４Ｖ動作位置との間にわたって選択的に回転し得るように構成され、制御スイッチは、１２Ｖモード又は２４Ｖモードにおいてバッテリジャンプ充電装置を選択的に動作させ得るように構成され、バッテリジャンプ充電装置は、第１の１２Ｖバッテリと第２の１２Ｖバッテリと制御スイッチとに対して電気的に接続された高導電性剛性フレームを更に含み、制御スイッチは、１２Ｖモード又は２４Ｖモードにおいてバッテリジャンプ充電装置を選択的に動作させ得るように構成され、バッテリジャンプ充電装置は、制御ノブと、バッテリジャンプ充電装置のカバーと、の間に配置されたインターフェースを更に含む。
【００８８】
本明細書において説明する主題は、電気制御スイッチを含む又は含んで構成された電気制御スイッチバックライトシステムを対象とするものであり、電気制御スイッチは、透光ウィンドウを有した制御ノブと、この制御ノブの背面側に配置されたバックライトであるとともに、このバックライトがオンとされた時には制御スイッチの透光ウィンドウを点灯させるバックライトと、を含み、電気制御スイッチバックライトシステムは、電子機器を更に含み、制御スイッチは、電子機器上に取り付けられ、電子機器は、バッテリジャンプ充電装置とされ、このバッテリジャンプ充電装置は、カバーと、このカバーの内部に配置された第１の１２Ｖバッテリと、カバーの内部に配置された第２の１２Ｖバッテリと、正極クランプを有した正極ケーブルであるとともにバッテリに対して接続された正極ケーブルと、負極クランプを有した負極ケーブルであるとともに高導電性剛性フレームに対して接続された負極ケーブルと、を含み、制御スイッチは、カバーを貫通し、制御スイッチは、第１の１２Ｖバッテリと第２の１２Ｖバッテリとに対して電気的に接続され、制御ノブは、１２Ｖ動作位置と２４Ｖ動作位置との間にわたって選択的に回転し得るように構成され、制御スイッチは、１２Ｖモード又は２４Ｖモードにおいてバッテリジャンプ充電装置を選択的に動作させ得るように構成され、バッテリジャンプ充電装置は、第１の１２Ｖバッテリと第２の１２Ｖバッテリと制御スイッチとに対して電気的に接続された高導電性剛性フレームを更に含み、制御スイッチは、１２Ｖモード又は２４Ｖモードにおいてバッテリジャンプ充電装置を選択的に動作させ得るように構成され、バッテリジャンプ充電装置は、制御ノブと、バッテリジャンプ充電装置のカバーと、の間に配置されたインターフェースを更に含み、インターフェースは、１２Ｖバックライトインジケータと２４Ｖバックライトとを含み、バッテリジャンプ充電装置は、制御スイッチの制御ノブを回転させることによって１２Ｖ動作モード又は２４Ｖ動作モードが選択された時には、１２Ｖバックライトインジケータ又は２４Ｖバックライトインジケータを選択的にオンとし得るように構成されている。
【００８９】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯される。
【００９０】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースには、充電式バッテリジャンプスタート装置の異なる動作モードを表示し得るよう、それぞれ異なる位置に配置された少なくとも２つの視覚的インジケータが設けられ、少なくとも２つの視覚的インジケータは、制御ノブをインターフェース上における異なる位置の中の１つの位置へと選択的に回転させた時には、少なくとも２つのバックライトのうちの１つによって選択的に点灯され得るように構成されている。
【００９１】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースには、充電式バッテリジャンプスタート装置の異なる動作モードを表示し得るよう、それぞれ異なる位置に配置された少なくとも２つの視覚的インジケータが設けられ、少なくとも２つの視覚的インジケータは、制御ノブをインターフェース上における異なる位置の中の１つの位置へと選択的に回転させた時には、少なくとも２つのバックライトのうちの１つによって選択的に点灯され得るように構成され、少なくとも２つの視覚的なインジケータは、それぞれ異なる位置に配置されていてディスプレイを透過する少なくとも２つの透光ウィンドウによって、提供され、少なくとも２つの視覚的インジケータは、制御ノブをインターフェース上における異なる位置の中の１つの位置へと選択的に回転させた時には、少なくとも２つのバックライトのうちの１つによって選択的に点灯される。
【００９２】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースには、充電式バッテリジャンプスタート装置の異なる動作モードを表示し得るよう、それぞれ異なる位置に配置された少なくとも２つの視覚的インジケータが設けられ、少なくとも２つの視覚的インジケータは、制御ノブをインターフェース上における異なる位置の中の１つの位置へと選択的に回転させた時には、少なくとも２つのバックライトのうちの１つによって選択的に点灯され得るように構成され、少なくとも２つの視覚的なインジケータは、それぞれ異なる位置に配置されていてディスプレイを透過する少なくとも２つの透光ウィンドウによって、提供され、少なくとも２つの視覚的インジケータは、制御ノブをインターフェース上における異なる位置の中の１つの位置へと選択的に回転させた時には、少なくとも２つのバックライトのうちの１つによって選択的に点灯され、少なくとも２つの視覚的インジケータの一方は、充電式バッテリジャンプスタート装置の１２ボルトでの動作モードを表示し得るよう、１２Ｖというシンボルとされ、少なくとも２つの視覚的インジケータの他方は、充電式バッテリジャンプスタート装置の２４ボルトでの動作モードを表示し得るよう、２４Ｖというシンボルとされる。
【００９３】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースは、このインターフェースの背面上に配置された又はインターフェースの背面に隣接して配置されたプリント回路基板を含み、インターフェースは、インターフェース上における異なる位置に配置された少なくとも２つのライトを有している。
【００９４】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースは、このインターフェースの背面上に配置された又はインターフェースの背面に隣接して配置されたプリント回路基板を含み、インターフェースは、インターフェース上における異なる位置に配置された少なくとも２つのライトを有し、少なくとも２つのバックライトは、プリント回路基板に対して接続された少なくとも２つの発光ダイオード（ＬＥＤ）とされている。
【００９５】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、制御ノブは、透光ウィンドウとして機能し得るように構成された透明部分又はシースルー部分を有した遮光性不透明部分を含んでいる。
【００９６】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、充電式バッテリジャンプスタート装置は、カバーの内部に配置された第１の１２Ｖバッテリと、カバーの内部に配置された第２の１２Ｖバッテリと、正極導電経路及び負極導電経路を有した高導電性フレームであるとともに、充電式バッテリジャンプスタート装置が充電対象バッテリをジャンプ充電する時には、第１の１２Ｖバッテリ及び／又は第２の１２Ｖバッテリに対して選択的に電気的に接続される高導電性フレームと、正極バッテリクランプを有した正極バッテリケーブルであるとともに高導電性フレームの正極導電経路に対して接続された正極バッテリケーブルと、負極バッテリクランプを有した負極バッテリケーブルであるとともに高導電性剛性フレームの負極導電経路に対して接続された負極バッテリケーブルと、を更に含み、制御スイッチは、第１の１２Ｖバッテリ及び／又は第２の１２Ｖバッテリを選択的に動作させ得るよう、高導電性フレームに対して接続され、制御ノブは、充電式バッテリジャンプスタート装置を１２Ｖモード又は２４Ｖモードにおいて選択的に動作させ得るよう、１２Ｖ動作モード位置と２４Ｖ動作モード位置との間にわたって回転し得るように構成されている。
【００９７】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、充電式バッテリジャンプスタート装置は、充電式バッテリジャンプスタート装置がオンとされた時には、インターフェース上の少なくとも２つのバックライトのうちの１つを点灯し得るように構成されている。
【００９８】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、インターフェースは、充電式バッテリジャンプスタート装置の動作時には、充電式バッテリジャンプスタート装置のリアルタイムでの動作電圧を表示し得るように構成されている。
【００９９】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、充電式バッテリジャンプスタート装置は、カバーの内部に配置された第１の１２Ｖバッテリと、カバーの内部に配置された第２の１２Ｖバッテリと、正極導電経路及び負極導電経路を有した高導電性フレームであるとともに、充電式バッテリジャンプスタート装置が充電対象バッテリをジャンプ充電する時には、第１の１２Ｖバッテリ及び／又は第２の１２Ｖバッテリに対して選択的に電気的に接続される高導電性フレームと、正極バッテリクランプを有した正極バッテリケーブルであるとともに高導電性フレームの正極導電経路に対して接続された正極バッテリケーブルと、負極バッテリクランプを有した負極バッテリケーブルであるとともに高導電性剛性フレームの負極導電経路に対して接続された負極バッテリケーブルと、を更に含み、制御スイッチは、第１の１２Ｖバッテリ及び／又は第２の１２Ｖバッテリを選択的に動作させ得るよう、高導電性フレームに対して接続され、制御ノブは、充電式バッテリジャンプスタート装置を１２Ｖモード又は２４Ｖモードにおいて選択的に動作させ得るよう、１２Ｖ動作モード位置と２４Ｖ動作モード位置との間にわたって回転し得るように構成され、第１の１２Ｖバッテリ及び第２の１２Ｖバッテリは、Ｌｉイオンバッテリとされている。
【０１００】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、制御ノブは、不透明な材料から形成され、透光ウィンドウは、制御ノブのスロットであるとともに光透過性材料によって充填されたスロットによって、規定されている。
【０１０１】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、制御ノブは、不透明な材料から形成され、透光ウィンドウは、制御ノブのスロットであるとともに光透過性材料によって充填されたスロットによって、規定され、制御ノブは、円形の外側エッジを含み、スロットは、制御ノブの外側エッジから内向きに延びた径方向を向くスロットである。
【０１０２】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、制御ノブは、不透明な材料から形成され、透光ウィンドウは、制御ノブのスロットであるとともに光透過性材料によって充填されたスロットによって、規定され、制御ノブは、円形の外側エッジを含み、スロットは、制御ノブの外側エッジから内向きに延びた径方向を向くスロットであり、制御ノブは、指でつまむための突起を含み、スロットは、突起の長手方向軸線に沿って延びている。
【０１０３】
本明細書において説明する主題は、充電式バッテリジャンプスタート装置を対象とするものであり、充電式バッテリジャンプスタート装置は、カバーと、このカバーの内部に配置された電源と、カバー上に取り付けられたインターフェースと、インターフェース上における異なる位置に配置された少なくとも２つのバックライトであるとともに電源によって選択的に給電される少なくとも２つのバックライトと、インターフェース上に取り付けられた電気制御スイッチであるとともにインターフェース上における異なる位置どうしの間にわたって回転可能とされた電気制御スイッチと、この電気制御スイッチ上に取り付けられた制御ノブであるとともに、インターフェース上における異なる位置どうしの間にわたって回転可能とされ、さらに透光ウィンドウを有した制御ノブと、を含み、制御ノブの透光ウィンドウは、制御ノブをインターフェース上における異なる位置の中の１つの位置へと選択的に回転させた時には、少なくとも２つのバックライトのうちの１つによって点灯され、充電式バッテリジャンプスタート装置は、電源と少なくとも２つのバックライトとの間に配置された電気的スイッチを更に含み、電気的スイッチは、制御ノブをインターフェース上における異なる位置の中の１つの位置へと選択的に回転させた時には、少なくとも２つのバックライトのうちの１つを点灯させ得るように構成されている。
【０１０４】
本明細書において説明する主題は、電子機器において使用するための電気光学位置検出スイッチシステムを対象とする。
【０１０５】
本明細書において説明する主題は、充電式バッテリジャンプスタート装置において使用するための改良された電気光学位置検出スイッチシステムを対象とする。
【０１０６】
本明細書において説明する主題は、携帯型充電式ジャンプスタート装置などの充電式バッテリジャンプスタート装置と組み合わせた改良された電気光学位置検出スイッチシステムを対象とする。
【０１０７】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含んでいる。
【０１０８】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含み、電気光学位置検出スイッチシステムは、この電気光学位置検出スイッチシステムが「オフ」状態とされている時の寄生電流を低減し得るように構成されたイネーブル回路（enable cirtuit）を更に含み、このイネーブル回路は、電気光学位置検出スイッチシステムが「オン」状態である時には電気的スイッチとして機能するトランジスタを含んでいる。
【０１０９】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含み、電気光学位置検出スイッチシステムは、この電気光学位置検出スイッチシステムが「オフ」状態とされている時の寄生電流を低減し得るように構成されたイネーブル回路を更に含み、このイネーブル回路は、電気光学位置検出スイッチシステムが「オン」状態である時には電気的スイッチとして機能するトランジスタを含み、イネーブル回路は、トランジスタが「オン」とされている時には、第１バッテリと第２バッテリとが並列に接続されている際に、電流が第１バッテリから第２バッテリへと流れ得るように構成されている。
【０１１０】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含み、電気光学位置検出スイッチシステムは、この電気光学位置検出スイッチシステムが「オフ」状態とされている時の寄生電流を低減し得るように構成されたイネーブル回路を更に含み、このイネーブル回路は、電気光学位置検出スイッチシステムが「オン」状態である時には、電気的スイッチとして機能するトランジスタを含み、イネーブル回路は、トランジスタが「オン」とされている時には、第１バッテリと第２バッテリとが並列に接続されている際に、電流が第１バッテリから第２バッテリへと流れ得るように構成され、イネーブル回路は、第１バッテリと第２バッテリとが直列に接続されている際に、電流が第１バッテリから第２バッテリへと流れ得ないように構成されている。
【０１１１】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含み、イネーブル回路は、電流が流れていることに基づいて又は電流が流れていないことに基づいて、制御スイッチがどの位置にあるかを知らせる信号を、光カプラがマイクロコントローラに対して提供し得るように、構成されている。
【０１１２】
本明細書において説明する主題は、電気光学位置検出スイッチシステムを対象とするものであり、電気光学位置検出スイッチシステムは、第１の１２Ｖバッテリと、第２の１２Ｖバッテリと、第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、この電気制御スイッチに対して電気的に接続されたマイクロコントローラと、マイクロコントローラに対して電気的に接続された光カプラであるとともに、電気制御スイッチの位置を示す信号を、マイクロコントローラに対して提供する光カプラと、を含み、イネーブル回路は、電流が流れていることに基づいて又は電流が流れていないことに基づいて、制御スイッチがどの位置にあるかを知らせる信号を、光カプラがマイクロコントローラに対して提供し得るように、構成され、イネーブル回路は、制御スイッチが１２Ｖ位置と２４Ｖ位置との間の「中間」位置にあることをマイクロコントローラユニットが決定し得るよう、反対の信号が、マイクロコントローラユニットに対する個別入力として提供され得るように、構成されている。
【０１１３】
本明細書において説明する主題は、携帯型充電式バッテリジャンプスタート装置などの携帯型バッテリジャンプスタート装置を対象とするものであり、携帯型バッテリジャンプスタート装置は、第１の１２Ｖバッテリと、第２の１２Ｖバッテリと、第１の１２Ｖバッテリと第２の１２Ｖバッテリとに対して接続された高導電性フレームと、この高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、高導電性フレームに対して電気的に接続されたマイクロコントローラと、高導電性フレームに対して電気的に接続されたデュアルバッテリダイオードブリッジであるとともに、車両のジャンプスタート後の逆充電から保護するために、第１の１２Ｖバッテリと第２の１２Ｖバッテリとを支持する２つのダイオードチャネルを有したデュアルバッテリダイオードブリッジと、を含む又は含んで構成されている。
【０１１４】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、この高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、高導電性フレームに対して電気的に接続されたマイクロコントローラと、高導電性フレームに対して電気的に接続されたデュアルバッテリダイオードブリッジであるとともに、車両のジャンプスタート後の逆充電から保護するために、第１の１２Ｖバッテリと第２の１２Ｖバッテリとを支持する２つのダイオードチャネルを有したデュアルバッテリダイオードブリッジと、を含む又は含んで構成され、デュアルバッテリダイオードブリッジは、逆充電ダイオードモジュールとされている。
【０１１５】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、この高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、高導電性フレームに対して電気的に接続されたマイクロコントローラと、高導電性フレームに対して電気的に接続されたデュアルバッテリダイオードブリッジであるとともに、車両のジャンプスタート後の逆充電から保護するために、第１の１２Ｖバッテリと第２の１２Ｖバッテリとを支持する２つのダイオードチャネルを有したデュアルバッテリダイオードブリッジと、を含む又は含んで構成され、逆充電ダイオードモジュールは、第１の１２Ｖバッテリを通して流れる電流を支持する上側のダイオードチャネルと、第２の１２Ｖバッテリを通して流れる電流を支持する下側のダイオードチャネルと、を含んでいる。
【０１１６】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、この高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、高導電性フレームに対して電気的に接続されたマイクロコントローラと、高導電性フレームに対して電気的に接続されたデュアルバッテリダイオードブリッジであるとともに、車両のジャンプスタート後の逆充電から保護するために、第１の１２Ｖバッテリと第２の１２Ｖバッテリとを支持する２つのダイオードチャネルを有したデュアルバッテリダイオードブリッジと、を含む又は含んで構成され、逆充電ダイオードモジュールは、第１の１２Ｖバッテリを通して流れる電流を支持する上側のダイオードチャネルと、第２の１２Ｖバッテリを通して流れる電流を支持する下側のダイオードチャネルと、を含み、上側のダイオードチャネル及び下側のダイオードチャネルは、上側のダイオードチャネルからの電流と下側のダイオードチャネルからの電流とを組み合わせ得るよう、高導電性フレームのうちの、バッテリジャンプスタート装置の正極出力につながっているバーに対して接続されている。
【０１１７】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、この高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、高導電性フレームに対して電気的に接続されたマイクロコントローラと、高導電性フレームに対して電気的に接続されたデュアルバッテリダイオードブリッジであるとともに、車両のジャンプスタート後の逆充電から保護するために、第１の１２Ｖバッテリと第２の１２Ｖバッテリとを支持する２つのダイオードチャネルを有したデュアルバッテリダイオードブリッジと、を含む又は含んで構成され、デュアルバッテリダイオードブリッジは、逆充電ダイオードモジュールとされ、逆充電ダイオードモジュールは、上側のダイオードチャネルに対して電気的に接続された上側の導電性バーと、下側のダイオードチャネルに対して電気的に接続された下側の導電性バーと、上側の導電性バーと下側の導電性バーとの間に配置されているとともに上側のダイオードチャネルと下側のダイオードチャネルとの双方に対して電気的に接続された中央の導電性バーと、を含んでいる。
【０１１８】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含む又は含んで構成されている。
【０１１９】
本明細書において説明する主題は、携帯型充電式バッテリジャンプスタート装置などの携帯型バッテリジャンプスタート装置を対象とするものであり、携帯型バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、充電シーケンス時に第１の１２Ｖバッテリと第２の１２Ｖバッテリとを同電位に近いように維持し得るよう、第１の１２Ｖバッテリ及び第２の１２Ｖバッテリを漸増的に充電し得るように構成されている。
【０１２０】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、第１の１２Ｖバッテリと第２の１２Ｖバッテリとのうちの、電圧又は充電量が最も低い方を最初に充電するように駆動される。
【０１２１】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、充電シーケンス時に第１の１２Ｖバッテリと第２の１２Ｖバッテリとを同電位に近いように維持し得るよう、第１の１２Ｖバッテリ及び第２の１２Ｖバッテリを漸増的に充電し得るように構成され、充電器は、第１の１２Ｖバッテリと第２の１２Ｖバッテリとのうちの、電圧又は充電量が最も低い方を最初に充電するように駆動される。
【０１２２】
本明細書において説明する主題は、携帯型充電式バッテリジャンプスタート装置などの携帯型バッテリジャンプスタート装置を対象とするものであり、携帯型バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、固定された電圧増分でもって漸増的に、第１の１２Ｖバッテリと第２の１２Ｖバッテリとを順次的に充電し得るように構成されている。
【０１２３】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、可変の電圧増分でもって漸増的に、第１の１２Ｖバッテリと第２の１２Ｖバッテリとを順次的に充電し得るように構成されている。
【０１２４】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、ランダムな電圧増分でもって漸増的に、第１の１２Ｖバッテリと第２の１２Ｖバッテリとを順次的に充電し得るように構成されている。
【０１２５】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、固定された電圧増分でもって漸増的に、第１の１２Ｖバッテリと第２の１２Ｖバッテリとを順次的に充電し得るように構成され、充電器は、１００ミリボルト（ｍＶ）という増分でもって漸増的に、第１の１２Ｖバッテリと第２の１２Ｖバッテリを順次的に充電し得るように構成されている。
【０１２６】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、第１の１２Ｖバッテリと第２の１２Ｖバッテリとのうちの、電圧又は充電量が最も低い方を最初に充電するように駆動され、充電の電圧増分は、第１の１２Ｖバッテリ又は第２の１２Ｖバッテリを完全に充電するのに必要な充電電圧の合計の一部又はほんの一部とされる。
【０１２７】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、バッテリジャンプスタート装置は、充電器の動作を制御し得るよう、充電器に対して電気的に接続されたプログラマブルマイクロコントローラを更に含む。
【０１２８】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、バッテリジャンプスタート装置は、第１の１２Ｖバッテリ及び第２の１２Ｖバッテリの過充電を防止するためのピーク電圧遮断部材を更に含む。
【０１２９】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された導電性配線アセンブリ又は導電性フレームと、この導電性配線アセンブリ又は導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチと、導電性配線アセンブリ又は導電性フレームに対して接続された充電器であるとともに、第１の１２Ｖバッテリと第２の１２Ｖバッテリとを順次的に充電し得るように構成された充電器と、を含み又は含んで構成され、充電器は、可変の電圧増分でもって漸増的に、第１の１２Ｖバッテリと第２の１２Ｖバッテリとを順次的に充電し得るように構成され、プログラマブルマイクロコントローラは、充電タイムアウトを提供し得るように構成されている。
【０１３０】
本明細書において説明する主題は、電子機器のためのリープフロッグ充電システム及び方法を対象とする。
【０１３１】
本明細書において説明する主題は、携帯型充電式バッテリジャンプスタート装置などのバッテリジャンプスタート装置において使用するためのリープフロッグ充電システム及び方法を対象とする。
【０１３２】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含む又は含んで構成されている。
【０１３３】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、漸増的な充電シーケンスとされる。
【０１３４】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、漸増的な充電シーケンスとされ、漸増的な充電シーケンスにおいては、第１の１２Ｖバッテリ及び第２の１２Ｖバッテリを完全に充電するための充電増分の合計よりも小さな増分でもって、第１の１２Ｖバッテリ又は第２の１２Ｖバッテリを充電する。
【０１３５】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、漸増的な充電シーケンスとされ、漸増的な充電シーケンスは、第１の１２Ｖバッテリと第２の１２Ｖバッテリとの間にわたっての交互的な充電シーケンスとされる。
【０１３６】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、漸増的な充電シーケンスとされ、漸増的な充電シーケンスにおいては、第１の１２Ｖバッテリ及び第２の１２Ｖバッテリの他方の充電シーケンスを行う前に第１の１２Ｖバッテリ及び第２の１２Ｖバッテリの一方の充電シーケンスを２回以上にわたって行うことを、交互的に実施する。
【０１３７】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、プログラムされたシーケンスとされる。
【０１３８】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、１つ又は複数の充電休止を含むものとされる。
【０１３９】
本明細書において説明する主題は、少なくとも第１充電式バッテリ及び第２充電式バッテリを有した電子機器のためのリープフロッグ充電システム及び方法を対象とするものであり、第１充電式バッテリ及び第２充電式バッテリを充電シーケンスにおいて選択的に充電することを含み又は含んで構成され、充電シーケンスは、プログラムされたシーケンスとされ、充電時間の増分と電圧の増分と充電速度とのすべてが、プログラムされたシーケンス内において調整可能とされる。
【０１４０】
本明細書において説明する主題は、電子機器において使用するための高導電性フレームを対象とする。
【０１４１】
本明細書において説明する主題は、電子機器のバッテリアセンブリとともに使用するための又は電子機器のバッテリアセンブリの一部とともに使用するための高導電性フレームを対象とする。
【０１４２】
本明細書において説明する主題は、携帯型充電式バッテリジャンプスタート装置などのバッテリジャンプスタート装置において使用するための高導電性フレームを対象とする。
【０１４３】
本明細書において説明する主題は、携帯型充電式バッテリジャンプスタート装置などのバッテリジャンプスタート装置と組み合わせた高導電性フレームを対象とする。
【０１４４】
本明細書において説明する主題は、携帯型充電式バッテリジャンプスタート装置などのバッテリジャンプスタート装置において使用し得るよう、バッテリを正極ケーブル及び負極ケーブルに対して接続するための高導電性フレームを対象とする。
【０１４５】
本明細書において説明する主題は、高導電性フレームに対して接続されたバッテリを含む又は含んで構成されたバッテリアセンブリを対象とする。
【０１４６】
本明細書において説明する主題は、携帯型充電式バッテリジャンプスタート装置などのバッテリジャンプスタート装置において使用し得るよう、高導電性フレームに対して接続されたバッテリを含む又は含んで構成されたバッテリアセンブリを対象とする。
【０１４７】
本明細書において説明する主題は、携帯型充電式ジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含む又は含んで構成されている。
【０１４８】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、バッテリジャンプスタート装置は、高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチを更に含む。
【０１４９】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、半剛直なものとされている。
【０１５０】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、剛直なものとされている。
【０１５１】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、３次元（３Ｄ）的なフレーム構造とされている。
【０１５２】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、互いに連結された複数の高導電性フレーム部材を含んでいる。
【０１５３】
本明細書において説明する主題は、携帯型充電式ジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、少なくとも１つの導電性フレーム部材は、貫通穴を含んでいる。
【０１５４】
本明細書において説明する主題は、携帯型充電式ジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、少なくとも１つの導電性フレーム部材は、少なくとも１つの導電性フレーム部材の１つ又は複数の端部に位置した少なくとも１つの貫通穴を含んでいる。
【０１５５】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、これら複数の高導電性フレーム部材のうちの少なくとも１つは、少なくとも１つの貫通穴を含み、少なくとも１つの貫通穴は、高導電性フレーム部材の一端部に配置され、隣接する高導電性フレームどうしは、高導電性のボルト及びナットを使用して互いに固定される。
【０１５６】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、少なくとも１つのフレーム部材には、貫通穴を有した少なくとも１つの平坦端部が設けられている。
【０１５７】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、少なくとも１つの導電性フレーム部材は、貫通穴を含み、その少なくとも１つの導電性フレーム部材には、少なくとも１つの端部上に、リング形状の貫通穴が設けられている。
【０１５８】
本明細書において説明する主題は、携帯型充電式ジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、携帯型ジャンプスタート装置の他の電気部品は、高導電性フレーム上にボルト留めされている。
【０１５９】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、バッテリジャンプスタート装置は、高導電性フレームと第１の１２Ｖバッテリと第２の１２Ｖバッテリとに対して電気的に接続された電気制御スイッチであるとともに、第１の１２Ｖバッテリと第２の１２Ｖバッテリとを並列に接続するための並列スイッチ位置と、第１の１２Ｖバッテリと第２の１２Ｖバッテリとを直列に接続するための直列スイッチ位置と、を有した電気制御スイッチを更に含み、制御スイッチは、高導電性フレーム上にボルト留めされている。
【０１６０】
本明細書において説明する主題は、携帯型充電式バッテリジャンプスタート装置などのバッテリジャンプスタート装置を対象とするものであり、バッテリジャンプスタート装置は、第１の１２Ｖバッテリと、第２の１２Ｖバッテリと、第１の１２Ｖバッテリと第２の１２Ｖバッテリとに対して接続された高導電性フレームと、を含み又は含んで構成され、高導電性フレームは、複数の高導電性フレーム部材を含み、高導電性フレーム部材は、平坦な金属製のストック材料から形成されている。
【０１６１】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含む又は含んで構成されている。
【０１６２】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含んでいる。
【０１６３】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含み、導電性フレーム部材は、導電性バー、導電性プレート、導電性ロッド、及び、導電性チューブ、からなる群から選択された１つ又は複数のものとされている。
【０１６４】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含み、導電性フレーム部材は、導電性フレーム部材の長さに沿った１つ又は複数の屈曲部分を有した平坦な導電性バーとされている。
【０１６５】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含み、導電性フレーム部材は、充電式バッテリの側面に隣接して配置されている。
【０１６６】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含み、導電性フレーム部材は、充電式バッテリの側面に隣接して配置され、導電性フレームは、充電式バッテリを少なくとも部分的に囲んでいる。
【０１６７】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、導電性フレームは、互いに連結された導電性フレーム部材を含み、導電性フレーム部材の各々には、導電性フレーム部材どうしを互いに連結するための締結部材を収容し得るよう、又はそれぞれのフレーム部材を電気部品に対して連結するための締結部材を収容し得るよう、それぞれのフレーム部材の少なくとも一端部に位置した貫通穴が設けられている。
【０１６８】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、正極導電性フレームは、正極ケーブルに対しての取り外し可能な連結を行い得るよう、正極カムロックに対して接続され、負極導電性フレームは、負極ケーブルに対しての取り外し可能な連結を行い得るよう、負極カムロックに対して接続されている。
【０１６９】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリは、１つ又は複数の充電式バッテリセルと充電式バッテリの正極端子に対して接続された正極導電性バーと充電式バッテリの負極端子に対して接続された負極導電性バーとを含む充電式バッテリアセンブリとされている。
【０１７０】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリは、１つ又は複数の充電式バッテリセルと充電式バッテリの正極端子に対して接続された正極導電性バーと充電式バッテリの負極端子に対して接続された負極導電性バーとを含む充電式バッテリアセンブリとされ、正極導電性バー及び負極導電性バーの双方は、１つ又は複数の充電式バッテリセルの長さに対して横方向を向いている。
【０１７１】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリは、１つ又は複数の充電式バッテリセルと充電式バッテリの正極端子に対して接続された正極導電性バーと充電式バッテリの負極端子に対して接続された負極導電性バーとを含む充電式バッテリアセンブリとされ、正極導電性バー及び負極導電性バーの双方は、１つ又は複数の充電式バッテリセルの長さに対して横方向を向いており、導電性バーは、１つ又は複数の充電式バッテリセルの幅と比較して、より幅が広いとともに、導電性バーの各々は、充電式バッテリアセンブリの側面から突出している。
【０１７２】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリは、１つ又は複数の充電式バッテリセルと充電式バッテリの正極端子に対して接続された正極導電性バーと充電式バッテリの負極端子に対して接続された負極導電性バーとを含む充電式バッテリアセンブリとされ、正極導電性バー及び負極導電性バーの各々には、導電性フレームに対しての接続のための貫通穴が設けられている。
【０１７３】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリジャンプスタート装置は、充電式バッテリジャンプスタート装置の動作時に負極導電性バーを負極ケーブルに対して選択的に電気的に接続し得るよう、負極導電性バーと負極ケーブルとの間に接続されたスイッチを更に含む。
【０１７４】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリの正極端子に対して接続された正極導電性フレームと一端部が充電式バッテリの負極端子に対して接続された負極導電性フレームとを含む導電性フレームと、充電式バッテリジャンプスタート装置の動作時には正極導電性フレームの反対側端部に対して接続される一端部を有した正極バッテリケーブルと、充電式バッテリジャンプスタート装置の動作時には負極導電性フレームの反対側端部に対して接続される一端部を有した負極バッテリケーブルと、正極ケーブルの反対側端部に対して接続された正極バッテリクランプと、負極ケーブルの反対側端部に対して接続された負極バッテリクランプと、を含み又は含んで構成され、充電式バッテリジャンプスタート装置は、充電式バッテリジャンプスタート装置の動作時に負極導電性バーを負極ケーブルに対して選択的に電気的に接続し得るよう、負極導電性バーと負極ケーブルとの間に接続されたスイッチを更に含み、スイッチは、正極クランプ及び負極クランプがジャンプスタート対象バッテリに対して適正に接続されたことを検出した時にのみ、負極導電性バーを負極ケーブルに対して電気的に接続するスマートスイッチとされている。
【０１７５】
本明細書において説明する主題は、充電式バッテリジャンプスタート装置を対象とするものであり、充電式バッテリジャンプスタート装置は、正極端子及び負極端子を有した充電式バッテリと、一端部が充電式バッテリアセンブリの正極端子に対して接続された正極導電性フレームと一端部が充電式バッテリアセンブリの負極端子に対して接続された負極導電性フレームとを含む導電性フレームと、正極導電性フレームの反対側端部に対して接続された正極カムロックと、負極導電性フレームの反対側端部に対して接続された負極カムロックと、一端部が正極カムロックに対して取り外し可能に接続される正極バッテリケーブルと、一端部が負極カムロックに対して取り外し可能に接続される負極バッテリケーブルと、正極ケーブルの反対側端部に対して接続された正極バッテリクランプと、負極ケーブルの反対側端部に対して接続された負極バッテリクランプと、を含む又は含んで構成されている。
【０１７６】
本明細書において説明する主題は、電子機器のためのバッテリアセンブリを対象とする。
【０１７７】
本明細書において説明する主題は、電子機器において使用するためのバッテリアセンブリを対象とする。
【０１７８】
本明細書において説明する主題は、携帯型充電式バッテリジャンプスタート装置などのバッテリジャンプスタート装置において使用するためのバッテリアセンブリを対象とする。
【０１７９】
本明細書において説明する主題は、携帯型充電式バッテリジャンプスタート装置などのバッテリジャンプスタート装置と組み合わせたバッテリアセンブリを対象とする。
【０１８０】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含む又は含んで構成されている。
【０１８１】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、正極高導電性部材と負極高導電性部材との双方は、それぞれ対応する正極ホイル及び負極ホイルの長さに対して横方向を向いている。
【０１８２】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、正極高導電性部材と負極高導電性部材との双方は、それぞれ対応する正極ホイル及び負極ホイルの長さに対して横方向を向いており、高導電性部材は、それぞれ対応する正極ホイル及び負極ホイルと比較して、より幅が広いものとされている。
【０１８３】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、高導電性部材は、少なくとも１つのバッテリセルの両端部に対して平坦な向きとされている。
【０１８４】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、高導電性部材には、ボルト及びナットからなる締結部材を使用して電子機器と接続するための貫通穴が設けられている。
【０１８５】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、高導電性部材は、プレートタイプ又はバータイプの材料から形成されている。
【０１８６】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、正極ホイルは、正極高導電性部材を少なくとも部分的に包み込み、負極ホイルは、負極高導電性部材を少なくとも部分的に包み込んでいる。
【０１８７】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、正極ホイルは、正極高導電性部材を少なくとも部分的に包み込み、負極ホイルは、負極高導電性部材を少なくとも部分的に包み込み、正極ホイル及び負極ホイルは、それぞれ対応する正極高導電性部材及び負極高導電性部材を完全に包み込んでいる。
【０１８８】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、正極ホイルは、正極高導電性部材に対して半田付け又は溶接され、負極ホイルは、負極高導電性部材に対して半田付け又は溶接されている。
【０１８９】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、少なくとも１つのバッテリセルは、互いに積層された複数のバッテリセルとされている。
【０１９０】
本明細書において説明する主題は、バッテリジャンプスタート装置などの電子機器において使用するためのバッテリアセンブリを対象とするものであり、装置は、正極ホイル端部及び負極ホイル端部を有した少なくとも１つのバッテリセルと、正極ホイルに対して接続された正極高導電性部材と、正極ホイルに対して接続された正極高導電性部材と、を含み又は含んで構成され、バッテリアセンブリは、熱収縮材料によって覆われている。
【０１９１】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリを含む電源回路と、バッテリアセンブリに対して接続された導電性フレームと、を含む又は含んで構成されている。
【０１９２】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリを含む電源回路と、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含む又は含んで構成されている。
【０１９３】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含む又は含んで構成されている。
【０１９４】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、導電性フレームは、バッテリアセンブリの正極端子コネクタから、正極バッテリケーブルに対する接続箇所までの、正極導電経路と、バッテリアセンブリの負極端子コネクタから、負極バッテリケーブルに対する接続箇所までの、負極導電経路と、を含んでいる。
【０１９５】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極導電性バー及び負極導電性バーの双方は、１つ又は複数の充電式バッテリセルの長さに対して横方向を向いている。
【０１９６】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極導電性バー及び負極導電性バーの双方は、１つ又は複数の充電式バッテリセルの長さに対して横方向を向いており、導電性バーは、１つ又は複数の充電式バッテリセルの幅と比較して、より幅が広いものとされ、導電性バーの各々は、充電式バッテリアセンブリの側面から突出している。
【０１９７】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極端子コネクタは、１つ又は複数の充電式バッテリセルの正極ホイル端部とされ、負極端子コネクタは、１つ又は複数の充電式バッテリセルの負極ホイル端部とされている。
【０１９８】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極導電性バーの側面は、１つ又は複数のバッテリセルの正極ホイル端部に対して平坦に接続され、負極導電性バーの側面は、１つ又は複数のバッテリセルの負極ホイル端部に対して平坦に接続されている。
【０１９９】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極導電性バー及び負極導電性バーの各々には、導電性フレームに対する接続のための貫通穴が設けられている。
【０２００】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極端子コネクタは、１つ又は複数の充電式バッテリセルの正極ホイル端部とされ、負極端子コネクタは、１つ又は複数の充電式バッテリセルの負極ホイル端部とされ、正極ホイル端部は、正極導電性バーを少なくとも部分的に包み込み、負極ホイル端部は、負極導電性バーを少なくとも部分的に包み込んでいる。
【０２０１】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極端子コネクタは、１つ又は複数の充電式バッテリセルの正極ホイル端部とされ、負極端子コネクタは、１つ又は複数の充電式バッテリセルの負極ホイル端部とされ、正極ホイル端部は、正極導電性バーを少なくとも部分的に包み込み、負極ホイル端部は、負極導電性バーを少なくとも部分的に包み込み、正極ホイル端部は、充電式バッテリアセンブリの正極導電性バーを完全に包み込み、負極ホイル端部は、充電式バッテリアセンブリの負極導電性バーを完全に包み込んでいる。
【０２０２】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、正極ホイル端部は、正極導電性バーに対して半田付け又は溶接され、負極ホイル端部は、負極導電性バーに対して半田付け又は溶接されている。
【０２０３】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、１つ又は複数のバッテリセルは、充電式バッテリアセンブリを提供し得るよう、直列に接続されるとともに互いに積層された複数のバッテリセルである。
【０２０４】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、積層された複数のバッテリセルは、熱収縮材料によって覆われている。
【０２０５】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、導電性フレームは、互いに連結された複数の導電性フレーム部材を含んでいる。
【０２０６】
本明細書において説明する主題は、充電式バッテリジャンプスタート装置を対象とするものであり、１つ又は複数の充電式バッテリセルを有して構成されるとともに正極端子コネクタと負極端子コネクタと正極端子コネクタに対して接続された正極導電性バーと負極端子コネクタに対して接続された負極導電性バーとを備えた充電式バッテリアセンブリと、バッテリアセンブリに対して接続された導電性フレームと、高導電性フレームに対して接続された正極バッテリケーブルと、高導電性フレームに対して接続可能とされた負極バッテリケーブルと、正極ケーブルに対して接続された正極バッテリクランプと、負極ケーブルに対して接続された負極バッテリクランプと、を含み又は含んで構成され、導電性フレームは、互いに連結された複数の導電性フレーム部材を含み、フレーム部材は、複数の軸線に沿って曲げられた導電性バーである。
【０２０７】
本明細書において説明する主題は、充電式バッテリジャンプスタート装置において使用するための充電式バッテリアセンブリを対象とするものであり、充電式バッテリアセンブリは、１つ又は複数の充電式バッテリセルを有して構成されるとともに、正極端子コネクタと、負極端子コネクタと、正極端子コネクタに対して接続された正極導電性バーと、負極端子コネクタに対して接続された負極導電性バーと、を備えた充電式バッテリアセンブリを含む又は含んで構成されている。
【０２０８】
本発明によるバッテリジャンプスタート装置は、１つ又は複数のバッテリ（例えば、１つ又は複数のＬｉイオンバッテリ）から、ジャンプスタート対象をなすバッテリ（例えば、車両バッテリ）への、電力伝送量を最大化し得るように構成されている。これには、バッテリジャンプスタート装置の１つ又は複数のバッテリからバッテリクランプまでの高導電性の又は非常に高い導電性の導電経路を有した電源回路が必要とされる。これには、金属（例えば、銅、アルミニウム）製の、プレート、バー、ロッド、及びチューブなどの、高導電性の又は非常に高い導電性の導体の使用が、物理的に必要とされる。例えば、バッテリジャンプスタート装置の動作時には、高導電性剛性フレームが、１つ又は複数のバッテリを、バッテリジャンプスタート装置の正極ケーブル及び負極ケーブルに対して、接続している。
【０２０９】
高導電性剛性フレームの「剛性」及び「強度」は、バッテリジャンプスタート装置の保管時及び使用時に、構造的な安定性を提供する。このことは、大きなレベルの電流が高導電性剛性フレームを通して流れるという使用時には、大電流が剛性フレームを加熱して軟化させる可能性があることのために、特に重要である。バッテリジャンプスタート装置の他の電気部品との接触及び電気的短絡というリスクを回避し得るよう、そのような使用時に、高導電性剛性フレームがその構造的安定性及び構成を維持することが、大変望ましいことである。このことは、バッテリアセンブリ及びバッテリジャンプスタート装置自体を、コンパクトで携帯型の構成のものとして作製する場合に特に当てはまり、これにより、バッテリジャンプスタート装置内に配置される電気部品どうしの間の距離を最小化することができる。
【０２１０】
１つ又は複数のバッテリと高導電性フレームとを含む又は含んで構成されるバッテリアセンブリは、バッテリジャンプスタート装置において使用するための「コンパクトなバッテリアセンブリ」を提供することができる。バッテリアセンブリは、交換又は修理のために、ユニットとして、バッテリジャンプスタート装置に対して、取り外し可能に（すなわち、着脱可能に）連結することができる。例えば、高導電性フレームは、１つ又は複数のバッテリを包み込んで部分的に又は完全に覆い得るように構成され（すなわち、１つ又は複数のバッテリが、導電性フレーム内への入れ子とされ）、これにより、コンパクトな構成を提供することができる。高導電性フレームは、１つ又は複数の平面又は軸線において、１つ又は複数のバッテリを囲むことができる。例えば、高導電性フレームは、１つ又は複数のバッテリの側面を包み込む。他の例として、高導電性フレームは、１つ又は複数のバッテリの側面及び上面を、及び／又は、底面を包み込み、これにより、５個又は６個の側面（すなわち、長手方向における両側面、幅方向における両側面、上面、及び／又は、底面）上において１つ又は複数のバッテリを捕捉する。高導電性フレームは、単一部材構造とすることも、また、互いに連結された又は互いに組み立てられた複数の部材からなる構造とすることも、できる。例えば、高導電性フレームは、互いに連結された又は互いに組み立てられた複数の高導電性フレーム部材から構成される。
【図面の簡単な説明】
【０２１１】
【図１】本発明によるバッテリジャンプスタート装置の正面からの斜視図。
【図２】図１に示すバッテリジャンプスタート装置の正面図。
【図３】図１に示すバッテリジャンプスタート装置の背面図。
【図４】図１に示すバッテリジャンプスタート装置の左側面。
【図５】図１に示すバッテリジャンプスタート装置の右側面。
【図６】図１に示すバッテリジャンプスタート装置の平面図を示す。
【図７】図１に示すバッテリジャンプスタート装置の底面図。
【図８】図１に示すバッテリジャンプスタート装置の斜視図であって、着脱可能なバッテリケーブルが、バッテリジャンプスタート装置に対して取り付けられている。
【図９】着脱可能なバッテリケーブルを備えた、図１に示すバッテリジャンプスタート装置の内部構成要素の配置に関する平面図。
【図１０】着脱が不可能なバッテリケーブルを備えた、図１に示すバッテリジャンプスタート装置の内部構成要素の配置に関する平面図。
【図１１】図９に示す着脱可能なバッテリケーブルの接続端部に関する平面図。
【図１２】図１に示すバッテリジャンプスタート装置の前面上に設置される制御スイッチの分解斜視図。
【図１３】図１２に示す制御スイッチのスイッチプレートに関する正面図であって、第１位置と第２位置との間にわたって操作可能とされている。
【図１４】図１３に示すスイッチプレートの背面からの斜視図。
【図１５】図１２に示す制御スイッチの斜視図。
【図１６】本発明によるバッテリジャンプスタート装置の第２実施形態の背面及び左側面の斜視図を、カバーを取り外した状態で示している。
【図１７】図１に示すバッテリジャンプスタート装置の正面及び左側面の斜視図を、カバーを取り外した状態で示している。
【図１８】図１に示すバッテリジャンプスタート装置の背面及び右側面の斜視図を、カバーを取り外した状態で示している。
【図１９】図１に示すバッテリジャンプスタート装置の正面図を、カバーを取り外した状態で示している。
【図２０】図１に示すバッテリジャンプスタート装置の背面図を、カバーを取り外した状態で示している。
【図２１】図１に示すバッテリジャンプスタート装置の平面図を、カバーを取り外した状態で示している。
【図２２】図１に示すバッテリジャンプスタート装置の底面図を、カバーを取り外した状態で示している。
【図２３】図１に示すバッテリジャンプスタート装置の左側面図を、カバーを取り外した状態で示している。
【図２４】図１に示すバッテリジャンプスタート装置の右側面図を、カバーを取り外した状態で示している。
【図２５】図１に示すバッテリジャンプスタート装置の正面及び上面の斜視図を、カバーを取り外した状態で示している。
【図２６】本発明によるバッテリジャンプスタート装置の第３実施形態の正面からの分解斜視図を、カバーを取り外した状態で示している。
【図２７】図２６に示すバッテリジャンプスタート装置の一部に関する正面からの分解斜視図を、カバーを取り外した状態で示している。
【図２８】図２６に示すバッテリジャンプスタート装置の一部に関する右側面からの分解斜視図を、カバーを取り外した状態で示している。
【図２９】図２６に示すバッテリジャンプスタート装置の一部に関する背面からの斜視図を、カバーを取り外した状態で示している。
【図３０】図２６に示すバッテリジャンプスタート装置の一部に関する背面からの斜視図を、カバーを取り外した状態で示している。
【図３１】図２６に示すバッテリジャンプスタート装置の一部に関する左側面からの分解斜視図を、カバーを取り外した状態で示している。
【図３２】例えば本発明によるバッテリジャンプスタート装置と一緒に使用するための、本発明によるカムロック接続デバイスの斜視図であって、オス型カムロック端部が、メス型カムロック端部から接続解除された様子が示されている。
【図３３】図３２に示すカムロック接続デバイスの斜視図であって、オス型カムロック端部が、メス型カムロック端部に対して部分的に接続されている。
【図３４】図３２に示すカムロック接続デバイスにおけるオス型カムロック端部の斜視図。
【図３５】図３２に示すカムロック接続デバイスにおけるオス型カムロック端部の分解斜視図。
【図３６】図３２に示すカムロック接続デバイスにおけるオス型カムロック端部に関しての、部分的に組み立てられた状態での斜視図。
【図３７】図３２に示すカムロック接続デバイスにおけるオス型カムロック端部に関しての、部分的に組み立てられた状態での斜視図。
【図３８】図３２に示すカムロック接続デバイスにおけるオス型カムロック端部に関しての、完全に組み立てられた状態での斜視図。
【図３９】図３２に示すカムロック接続デバイスにおけるオス型カムロック端部に関しての、部分的に組み立てられた状態での斜視図。
【図４０】図３２に示すカムロック接続デバイスにおけるメス型カムロック端部に関しての、端面からの分解斜視図。
【図４１】図３２に示すカムロック接続デバイスにおけるメス型カムロック端部に関しての、端面からの分解斜視図。
【図４２】図３２に示すカムロック接続デバイスにおけるメス型カムロック端部に関しての、端面からの分解斜視図。
【図４３】図３２に示すカムロック接続デバイスにおけるメス型カムロック端部に関しての、部分的に組み立てられた状態での端面からの斜視図。
【図４４】図３２に示すカムロック接続デバイスにおけるメス型カムロック端部に関しての、組み立てられた状態での端面からの斜視図。
【図４５】図３２に示すカムロック接続デバイスにおけるメス型カムロック端部に関しての、組み立てられた状態での端面からの斜視図であって、本発明によるバッテリジャンプスタート装置の高導電性フレームなどの導体に対して接続するためのボルトと一緒に図示されている。
【図４６】図１６に示すバッテリジャンプスタート装置の正面からの斜視図を、カバーを取り外した状態で示す図であって、本発明による、主制御スイッチ及びインターフェースバックライトシステムを示している。
【図４７】図１６に示すバッテリジャンプスタート装置の一部に関する正面からの斜視図であって、制御スイッチの制御ノブの１２Ｖに関するバックライトが「オン」とされている。
【図４８】図１６に示すバッテリジャンプスタート装置の一部に関する正面からの斜視図であって、制御スイッチの制御ノブの１２Ｖに関するバックライトが「オフ」とされている。
【図４９】図１６に示すバッテリジャンプスタート装置の一部に関する正面からの斜視図であって、制御スイッチの制御ノブの１２Ｖに関するバックライトが「オン」とされ、インターフェース上の１２Ｖに関するバックライトインジケータが「オン」とされ、インジケータ上の、１２．７Ｖを示す可変バックライトインジケータが「オン」とされ、さらに、電源に関するバックライトが「オン」とされている。
【図５０】図１６に示すバッテリジャンプスタート装置の一部に関する正面からの斜視図であって、制御スイッチの制御ノブの２４Ｖに関するバックライトが「オン」とされている。
【図５１】１２Ｖ又は２４Ｖでのジャンプスタート動作モード示すブロック図。
【図５２】本発明による電気光学位置検出システムを示すブロック図。
【図５３】１２Ｖ／２４Ｖ主スイッチの読み取りに関する電気回路図。
【図５４】図２６に示すバッテリジャンプスタート装置の単一接続構成又は二重接続構成を示す概略的図。
【図５５】図２６に示すバッテリジャンプスタート装置の背面図を、カバーを取り外した状態で示す図であって、本発明によるデュアルバッテリダイオードブリッジを示している。
【図５６】図２６に示すバッテリジャンプスタート装置において使用される本発明による高導電性フレームの正面からの斜視図。
【図５７】図５６に示す高導電性フレームの正面図。
【図５８】図５６に示す高導電性フレームの背面図。
【図５９】図５６に示す高導電性フレームの平面図。
【図６０】図５６に示す高導電性フレームの底面図。
【図６１】図５６に示す高導電性フレームの左側面図。
【図６２】図５６に示す高導電性フレームの右側面図。
【図６３】本発明による、組み立てられた状態でのＬｉイオンバッテリアセンブリの平面図。
【図６４】図６３に示すＬｉイオンバッテリアセンブリの斜視図を、カバーを取り外した状態で示している。
【図６５】図６３に示すＬｉイオンバッテリアセンブリの斜視図を、カバーを取り外した状態で示している。
【図６６】図６３に示すＬｉイオンバッテリアセンブリの斜視図を、カバーを取り外した状態で示している。
【図６７】図２６に示す充電式バッテリジャンプスタート装置の機能ブロック図を示す。
【図６８Ａ−１】図２６に示す充電式バッテリジャンプスタート装置の回路図。
【図６８Ａ−２】図２６に示す充電式バッテリジャンプスタート装置の回路図。
【図６８Ａ−３】図２６に示す充電式バッテリジャンプスタート装置の回路図。
【図６８Ａ−４】図２６に示す充電式バッテリジャンプスタート装置の回路図。
【図６８Ａ−５】図２６に示す充電式バッテリジャンプスタート装置の回路図。
【図６８Ａ−６】図２６に示す充電式バッテリジャンプスタート装置の回路図。
【図６８Ａ−７】図２６に示す充電式バッテリジャンプスタート装置の回路図。
【図６８Ｂ−１】図２６に示す充電式バッテリジャンプスタート装置の回路図。
【図６８Ｂ−２】図２６に示す充電式バッテリジャンプスタート装置の回路図。
【図６８Ｂ−３】図２６に示す充電式バッテリジャンプスタート装置の回路図。
【図６８Ｃ−１】図２６に示す充電式バッテリジャンプスタート装置の回路図。
【図６８Ｃ−２】図２６に示す充電式バッテリジャンプスタート装置の回路図。
【図６８Ｃ−３】図２６に示す充電式バッテリジャンプスタート装置の回路図。
【図６８Ｃ−４】図２６に示す充電式バッテリジャンプスタート装置の回路図。
【図６８Ｃ−５】図２６に示す充電式バッテリジャンプスタート装置の回路図。
【図６８Ｃ−６】図２６に示す充電式バッテリジャンプスタート装置の回路図。
【図６８Ｄ−１】図２６に示す充電式バッテリジャンプスタート装置の回路図。
【図６８Ｄ−２】図２６に示す充電式バッテリジャンプスタート装置の回路図。
【図６８Ｄ−３】図２６に示す充電式バッテリジャンプスタート装置の回路図。
【図６８Ｄ−４】図２６に示す充電式バッテリジャンプスタート装置の回路図。
【図６８Ｄ−５】図２６に示す充電式バッテリジャンプスタート装置の回路図。
【図６８Ｄ−６】図２６に示す充電式バッテリジャンプスタート装置の回路図。
【図６８Ｄ−７】図２６に示す充電式バッテリジャンプスタート装置の回路図。
【図６８Ｅ−１】図２６に示す充電式バッテリジャンプスタート装置の回路図。
【図６８Ｅ−２】図２６に示す充電式バッテリジャンプスタート装置の回路図。
【図６８Ｅ−３】図２６に示す充電式バッテリジャンプスタート装置の回路図。
【図６８Ｆ−１】図２６に示す充電式バッテリジャンプスタート装置の回路図。
【図６８Ｆ−２】図２６に示す充電式バッテリジャンプスタート装置の回路図。
【図６８Ｆ−３】図２６に示す充電式バッテリジャンプスタート装置の回路図。
【図６９】図６９は、図面に示す充電式ジャンプスタート装置１０、１１０、３１０と一緒に使用するためのディスプレイに関する一例をなす実施形態に関する詳細な正面図。
【発明を実施するための形態】
【０２１２】
本発明によるバッテリジャンプスタート装置１０が、図１〜図８に示されている。
【０２１３】
バッテリジャンプスタート装置１０は、ハンドル１４が取り付けられているとともに図１〜図８に示す特有の構成を有したカバー１２を含む。
【０２１４】
バッテリジャンプスタート装置１０は、前面インターフェース１６と、電源をオン又はオフとするための電源ボタン１６ａと、電気制御スイッチ１８であるとともに、この制御スイッチ１８を操作するための制御ノブ１８ａが設けられている電気制御スイッチ１８と、を含む。制御スイッチ１８の主要な動作部分は、カバー１２の内部に位置している。制御スイッチ１８は、ジャンプスタート対象車両の特定の電圧システム（例えば、１２Ｖ又は２４Ｖの車両電気システム）に応じて、ユーザが、制御ノブ１８ａを、第１位置（１２Ｖモード）と第２位置（２４Ｖモード）とのいずれか一方へと、選択的に回転させ得るように構成されている。
【０２１５】
インターフェース１６の詳細な特徴は、図６９に示されている。インターフェース１６は、
１）電源ボタン１６ａと、
２）電源ＬＥＤ１６ｂ（例えば、白色ＬＥＤ）と、
３）１２ＶモードＬＥＤ１６ｃ（例えば、白色ＬＥＤ）と、
４）１６ｃと同じ配置とされた２４ＶモードＬＥＤ１６ｄ（例えば、青色ＬＥＤ）と、
５）エラーＬＥＤ１６ｅ（例えば、赤色ＬＥＤ）と、
６）低温エラーＬＥＤ１６ｆ（例えば、青色ＬＥＤ）と、
７）高温エラーＬＥＤ１６ｇ（例えば、赤色ＬＥＤ）と、
８）内蔵バッテリ残量ゲージＬＥＤ１６ｈ（例えば、赤色ＬＥＤ、赤色ＬＥＤ、アンバー色（琥珀色）ＬＥＤ、緑色ＬＥＤ）と、
９）懐中電灯モードボタン１６ｉと、
１０）懐中電灯ＬＥＤ１６ｊ（例えば、白色ＬＥＤ）と、
１１）１２Ｖ入力ＬＥＤ１６ｋ（例えば、白色／赤色ＬＥＤ）と、
１２）１２Ｖ出力ＬＥＤ１６ｌ（例えば、白色／赤色ＬＥＤ）と、
１３）ＵＳＢ出力ＬＥＤ１６ｍ（例えば、白色ＬＥＤ）と、
１４）手動優先ボタン１６ｎと、
１５）手動優先ＬＥＤ１６ｏ（例えば、赤色ＬＥＤ）と、
１６）電圧計ディスプレイＬＥＤ１６ｐ（例えば、白色ＬＥＤ）と、
１７）１２ＶモードＬＥＤ１６ｑ（例えば、白色ＬＥＤ）と、
１８）２４ＶモードＬＥＤ１６ｒ（例えば、青色ＬＥＤ）と、
１９）ブーストＬＥＤ１６ｓ（例えば、白色ＬＥＤ）と、
を含む。
【０２１６】
上記の特徴は、異なる色のＬＥＤｓを使用することにより、及び／又は、インターフェース１６の面上における他の配置を使用することにより、修正することができる。
【０２１７】
バッテリジャンプスタート装置１０は、図２に示すように、左側ポート２０ａと右側ポート２０ｂとを有したポート２０を、更に含む。ポート２０は、インターフェース１６の右下コーナー部分に位置した貫通穴１６ｔを貫通し得るように構成されている。図２に示すように、左側ポート２０ａは、２個の２．１アンペア（Ａ）ＵＳＢ出力ポート２０ｃ、２０ｄを収容し、右側ポート２０ｂは、１８Ａで１２ＶのＸＧＣ出力ポート２０ｅと、５Ａで１２ＶのＸＧＣ入力ポート２０ｆと、を収容している。
【０２１８】
カバー１２には、バッテリジャンプスタート装置１０の不使用時に左側ポート２０ａをシールするための左側シールキャップ２２ａと右側ポート２０ｂをシールするための右側シールキャップ２２ｂとを含む弾性シールキャップ２２が、設けられている。
【０２１９】
バッテリジャンプスタート装置１０の左側面には、また、バッテリジャンプスタート装置１０を作業灯として使用するための一対の発光ダイオード２８（ＬＥＤｓ）も取り付けられている。例えば、ＬＥＤｓ２８は、図１、図４、及び図８に示すように、２個の１１００ルーメンの高輝度ＬＥＤ投光器である。ＬＥＤｓ２８は、１００％強度と、５０％強度と、１０％強度、ＳＯＳモード（緊急プロトコル）と、点滅モードと、ストロボモードと、オフモードと、を含めた、７つの動作モードを有し得るように構成されている。
【０２２０】
バッテリジャンプスタート装置１０の左側面には、ＬＥＤｓ２８からの熱を放散するためのヒートシンク２９（図１）が取り付けられている。例えば、ヒートシンク２９は、熱伝導性材料（例えば、成形アルミニウム製の又はアルミダイキャスト製のヒートシンク）から形成されている。ヒートシンク２９には、ヒートシンク２９が周囲雰囲気に対して熱を伝達することを容易なものとしてＬＥＤｓ２８が過熱してしまうことを防止し得るよう、リブ２９ａ（図１）が設けられている。
【０２２１】
バッテリジャンプスタート装置１０は、図１においては、バッテリクランプ付きのバッテリケーブルであるとともにバッテリジャンプスタート装置１０をジャンプスタート対象車両のバッテリに対して接続するためバッテリケーブルが無い状態で図示されている。バッテリジャンプスタート装置は、各々がバッテリクランプを有した一組をなすバッテリケーブル（例えば、正極クランプ付きの正極バッテリケーブル、及び、負極クランプ付きの負極バッテリケーブル）を取り外し可能に又は着脱可能に接続し得るように構成することができる。これに代えて、バッテリジャンプスタート装置には、取り外し不可能であるようにして又は着脱不可能であるようにして、装置に対して直接的に配線接続されたバッテリケーブルを取り付けることができる。
【０２２２】
図１及び図４に示すように、バッテリジャンプスタート装置１０の左側面には、正極（＋）カムロック２４ａ及び負極（−）カムロック２４ｂが設けられている。カムロック２４ａは、正極バッテリケーブル５６（図８）の接続端部５６ａ（図１１）を取り外し可能に又は着脱可能に接続し得るように構成されたレセプタクル２５ａ（図４）を含み、カムロック２４ｂは、負極バッテリケーブル５８の接続端部５８ａを取り外し可能に又は着脱可能に接続し得るように構成されたレセプタクル２５ｂを含む。カムロック２４ａ、２４ｂには、バッテリジャンプスタート装置１０の不使用時にカムロック２４ａ、２４ｂのそれぞれ対応するレセプタクル２５ａ、２５ｂを閉塞してシールするためのシールキャップ２６（図１）が取り付けられている。これにより、汚れ及び湿気が、レセプタクル２５ａ、２５ｂ内へと侵入しないものとされている。
【０２２３】
バッテリジャンプスタート装置１０の電源回路３０が、図９に示されている。
【０２２４】
電源回路３０は、一対をなすケーブル３４、３６（例えば、絶縁された電気銅ケーブル）のうちのそれぞれ対応するケーブルを介して制御スイッチ１８に対して接続された２つの個別の充電式リチウムイオン（Ｌｉイオン）バッテリ３２（例えば、２つの１２ＶのＬｉイオンバッテリ）を含む。
【０２２５】
電源回路３０は、ケーブル４０を介して制御スイッチに対して接続されているとともにケーブル４４を介して右側バッテリ３２に対して接続されている逆電流ダイオードアレイ４８（すなわち、逆流保護デバイス）を、更に含む。
【０２２６】
電源回路３０は、ケーブル４２を介して制御スイッチ１８に対して接続されているとともにケーブル４６を介して左側バッテリ３２に対して接続されているスマートスイッチ５０（例えば、５００Ａのソレノイドデバイス）さえをも、更に含む。
【０２２７】
正極バッテリクランプ６０を有した正極バッテリケーブル５６は、ケーブル部分５２を介して逆電流ダイオードアレイ４８に対して接続された正極カムロック２４ａ（図９）に対して取り外し可能に又は着脱可能に接続される。
【０２２８】
負極バッテリクランプ６２を有した負極バッテリケーブル５８は、ケーブル部分５４を介してスマートスイッチ５０に対して接続された負極カムロック２４ｂ（図９）に対して着脱可能に接続される。
【０２２９】
電源回路３０に関する上記の第１実施形態においては、電源回路３０の電気部品は、ケーブル（例えば、太いゲージのフレキシブルな絶縁された銅ケーブル）を介して、互いに接続されている。ケーブルの端部は、すべての電気部品どうしの間における高導電性の電気的接続を提供し得るよう、それぞれの電気部品に対して半田付けされている及び／又は機械的に固定されている。
【０２３０】
図１０に示す変更された第１実施形態においては、バッテリケーブル５６、５８は、それぞれ対応する逆電流ダイオードアレイ４８及びスマートスイッチ５０に対して、カムロック２４ａ、２４ｂを省略して、直接的に配線接続されている。この場合には、バッテリケーブル５６、５８は、もはや取り外し可能でも着脱可能でもない。
【０２３１】
図９に示すケーブル５６、５８は、カムロック２４ａ、２４ｂに対して協働し得るように構成されている。例えば、ケーブル５６、５８には、カムロック２４ａ、２４ｂのレセプタクル２５ａ、２５ｂ内へと嵌合するためのケーブル端部５６ａ、５８ａ（例えば、絶縁が除去されている）が設けられている。
【０２３２】
充電式ジャンプスタート装置１１０及び電源回路１３０に関しての、後述することとなる第２実施形態においては、充電式ジャンプスタート装置１０の第１実施形態のうちの、Ｌｉイオンバッテリ３２と逆電流ダイオードアレイ４８とスマートスイッチ５０との間にそれぞれ位置したケーブル３４、３６、４０、４２、４４、４６（図９）、及び、逆電流ダイオードアレイ４８とスマートスイッチ５０との間のケーブル５２、５４は、高導電性剛性フレーム１７０（図１６）へと置き換えられている。例えば、充電式ジャンプスタート装置１１０（図１６）の第２実施形態における高導電性フレーム１７０は、図１６〜図２５に示すフレーム部材１７０ａ〜１７０ｈを含む。充電式ジャンプスタート装置３１０の第３実施形態における他の高導電性フレーム３７０（図２６）は、図５６〜図６２に示すフレーム部材３７０ａ〜３７０ｈを含む。
【０２３３】
制御スイッチ
制御スイッチ１８が、図１２〜図１５に示されている。制御スイッチ１８は、
１）制御ノブ１８ａと、
２）前面ハウジング７２と、
３）背面ハウジング７４と、
４）カラー７６ａと脚部７６ｂと脚部７６ｃとを有したロータ７６と、
５）スプリング７８と、
６）各々が２つのコンタクトポイント（例えば、スロット８０ｃ）を有した回動接点８０と、
７）個別の端子８２、８４、８６、８８と、
８）接続端子９０、９２と、
９）導電性バー９４と、
１０）Ｏ−リング９６と、
１１）Ｏ−リング９８と、
１２）Ｏ−リング１００と、
を含む。
【０２３４】
制御ノブ１８ａは、後方延長部分１８ｂ、１８ｃを含む。延長部分１８ｃは、組み立てられた時にロータ７６のＴ字形状凹所７６ｅ（図１２）内に連結するためのＴ字形状断面部分を有している。ロータ７６には、後方延長部分１８ｂ（例えば、円形断面部分）を内部に収容し得るように構成されたフランジ７６ａが設けられている。
【０２３５】
ロータ７６の一対の脚部７６ｃ（例えば、Ｕ字形状の脚部）は、それぞれ対応するスプリング７８を部分的に収容し、スプリング７８が、回動接点８０に対して力を印加することによって、回動接点８０は、端子８２〜９２の中の選択された接点８２ｂ〜９２ｃに対しての高導電状態でのコンタクトを維持することができる。
【０２３６】
回動接点８０の各々は、ロータ７６の各脚部７６ｂの端部を収容し得るように構成された中央スロット８０ｂを有した回動接点プレート８０ａを有している。ロータ７６が回転した時には、各脚部７６ｂが、各回動接点プレート８０ａを駆動して回転させる。
【０２３７】
さらに、回動接点プレート８０ａの各々は、端子８２〜９２の中の選択された接点８２ｃ〜９２ｃに対しての２つのコンタクトポイントとして機能する互いに離間した一対の貫通穴８０ｃ（例えば、楕円形状の貫通穴）を有している。
【０２３８】
端子８２〜９２は、それぞれ、ネジ山付き支柱８２ａ〜９２ａと、スペーサプレート８２ｂ〜９２ｂと、導電性バー９４と、を有している。これにより、回動接点８０の選択的な回転移動を可能とし得るよう、接点８２ｃ〜９２ｃのすべてが同じ平面（すなわち、制御スイッチ１８の長手方向軸線を横断する平面）内に位置し得るように構成されている。端子８２〜９２のネジ山付き支柱８２ａ〜９２ａは、背面ハウジング７４のそれぞれ対応する貫通穴７４ａへと挿入される。
【０２３９】
図１２に示すように、Ｏ−リング９６、９８、１００は、図示のようにして制御スイッチ１８の様々な個別の構成要素をシールする。制御スイッチ１８の組立後には、一組をなす複数のネジ７５が、背面ハウジング７４のアンカー７４ｂに対して連結され、これにより、図１２に示すように前面ハウジング７２を背面ハウジング７４に対して固定することができる。
【０２４０】
制御スイッチ１８は、図１３に示すように、１２Ｖ／２４Ｖ選択型スイッチである。第１位置すなわち位置１（すなわち、並列位置）における回動接点８０の構成が、図１３の左側に示されており、第２位置すなわち位置２（すなわち、直列位置）が、図１３の右側に示されている。
【０２４１】
制御スイッチ１８の背面が、図１４に示されている。他の高導電性バー９４が、背面ハウジング７４の背面側の外面上に設けられている。完全に組み立てられた制御スイッチ１８が、図１５に示されている。
【０２４２】
バッテリジャンプスタート装置１１０の第２実施形態が、カバー１１２を取り外した状態で、図１６〜図２５に示されている。バッテリジャンプスタート装置１１０のためのカバーは、例えば、図１〜図８に示すバッテリジャンプスタート装置１０のカバー１２と同じである。
【０２４３】
バッテリジャンプスタート装置１０（図１〜図８）と比較した場合、バッテリジャンプスタート装置１１０（図１６〜図２５）の第２実施形態においては、第１実施形態におけるケーブル部分３４、３６、４０、４２、４４、４６（図９）が、高導電性フレーム１７０によって置き換えられている。高導電性フレーム１７０は、互いに接続される平坦端部を有した導電性金属ロッドとして構成された高導電性金属（例えば、銅、アルミニウム）製フレーム部材１７０ａ〜１７０ｈから構成される。
【０２４４】
バッテリジャンプスタート装置１１０は、高導電性剛性フレーム１７０に対して直接的に接続された一対の１２ＶのＬｉイオンバッテリ１３２を含む。より詳細には、リチウムイオンバッテリの端子１３２ａ、１３２ｂ（例えば、銅又はアルミニウム製の高導電性バー）は、バッテリセルのそれぞれ対応する正極タブ又は正極ホイル及び負極タブ又は負極ホイルに対して、機械的に連結され及び／又は半田付けされ、その後、ボルト２０６ａ及びナット２０６ｂを含む高導電性締結部材２０６によって及び／又は半田付けによって、高導電性剛性フレーム１７０に対して接続される。
【０２４５】
高導電性剛性フレーム１７０は、機械的締結部材（例えば、金属製のナット及び／又はボルトからなる締結部材）によって及び／又は半田付けによって互いに接続された複数の高導電性剛性フレーム部材１７０ａ〜１７０ｈから構成される。例えば、高導電性剛性フレーム部材は、貫通穴付き平坦端部を有した高導電性剛性金属ロッドから形成されている。これに代えて、高導電性剛性金属ロッドは、高導電性かつ剛性で金属製の、プレート、バー、チューブ、又は、他の適切に構成された高導電性金属材料（例えば、銅又はアルミニウム製のストック材料）によって置き換えることができる。高導電性剛性フレーム部材１７０ａ〜１７０ｈは、また、内部での短絡を防止し得るよう、少なくとも主要な領域においては、絶縁する（例えば、熱収縮タイプの絶縁材によって被覆する）ことができる。
【０２４６】
図１６〜図２５に示す高導電性剛性フレーム部材１７０ａ〜１７０ｈは、平坦端部を有した金属ロッドである（例えば、油圧プレス又は機械プレスを使用して平坦化される）。平坦端部の各々は、隣接する高導電性剛性フレーム部材１７０ａ〜１７０ｈとの間の及び／又は電気部品（例えば、バッテリ１３２、スマートスイッチ１５０）との間の機械的連結を提供し得るよう、貫通穴を有している。隣接する高導電性剛性フレーム部材１７０ａ〜１７０ｈの平坦端部どうしは、組立時には互いに重ね合わされ、そして、ボルトが、重なり合った貫通穴どうしを通して挿入される。高導電性のナットが、ボルト締結部材（例えば、銅又はアルミニウム製のボルト及びナット）（例えば、銅又はアルミニウム製のボルト及びナット）上へと螺着される。高導電性剛性フレーム部材１７０ａ〜１７０ｈを電気部品に対して取り付ける場合には、電気部品には、フレーム部材１７０ａ〜１７０ｈに対する取付のための貫通穴を有した高導電性プレートベース部分を設けることができる。加えて、高導電性剛性フレーム部材１７０ａ〜１７０ｈの端部には、１つ若しくは複数の電気部品の一部若しくは一部材に対して接続され得るように構成された、又は１つ若しくは複数の電気部品の一部若しくは一部材であり得るように構成されたベース部分（例えば、プレート又はバー部分）を設けることができる。
【０２４７】
例えば、逆流ダイオードアセンブリ１４８は、高導電性剛性フレーム１７０の３つの高導電性フレーム部材１７０ｄ、１７０ｅ、１７０ｆの３つのベース部分から構成されている。
すなわち、逆流ダイオードアセンブリ１４８は、
１）高導電性フレーム部材１７０ｅの平坦端部である上側の高導電性剛性バー１４８ａ（図１６）であって、高導電性ボルト２０６ａ及び高導電性ナット２０６ｂを有した高導電性締結部材２０６（例えば、銅又はアルミニウムから形成されている）を使用してバッテリ端子１３２ａの平坦端部１３２ａａに対して接続された対向平坦端部１４８ｅａを有した、上側の高導電性剛性バー１４８ａ（図１６）と、
２）高導電性剛性フレーム部材１７０ｄの平坦端部である下側の高導電性剛性バー１４８ｂ（図１６）と、
３）高導電性剛性フレーム部材１１７０ｆの平坦端部である中央の高導電性剛性バー１４８ｃ（図１６）と、
を含んで構成されている。
【０２４８】
他の例として、スマートスイッチ１５０（図１６）は、ソレノイド１５０ｂを支持するベース部分として機能する高導電性剛性プレート１５０ａを含む。高導電性剛性プレート１５０ａには、高導電性締結部材２０６を使用して高導電性剛性フレーム部材１７０ａ、１７０ｈをスマートスイッチ１５０に対して接続するための貫通穴が設けられている。
【０２４９】
高導電性剛性フレーム１７０の構築のために選択されたストック材料（例えば、銅又はアルミニウム製の、ロッド、プレート、バー、チューブ）は、高導電性及び実質的な剛性を提供し得るよう、実質的なゲージを有している。高導電性剛性フレーム１７０の「剛性」という特性は、バッテリジャンプスタート装置１１０の保管時及び使用時に高導電性剛性フレーム１７０が構造的に剛直で安定したままであるという利点を提供する。
【０２５０】
例えば、高導電性剛性フレーム１７０は、高導電性剛性フレームが電子アセンブリの他の内部電気部品又は他の部分に対して接触して漏電することを防止し得るよう、保管時又は使用時における高導電性剛性フレーム１７０の屈曲、移動、曲がり、及び／又は変位を充分に防止し得るように設計及び構築されている。この「剛性」という特性は、Ｌｉイオンバッテリ１３２から電源回路を通して流れそしてバッテリクランプ６０、６２（図９）へと到達する電力経路の高導電性のために重要である。本発明の望ましい目標及び特徴は、開示された高負荷向けの高導電性剛性フレーム１７０という構成を使用することによってすべての電気抵抗を低減又は最小化することにより、リチウムイオンバッテリ１３２から、バッテリジャンプスタート装置１１０によるジャンプスタート対象をなすバッテリに対して、できるだけ多くの電力を伝導することである。
【０２５１】
代替可能な態様として、高導電性剛性フレーム１７０は、機械的に固定される一切の接合部分を備えていない単一部材として構築することができる。例えば、高導電性剛性フレーム１７０は、ストック材料からなる単一片から作製することができ、その後、高導電性剛性フレーム１７０へと、成形、曲げ、機械加工、又は、製造、することができる。例えば、高導電性銅のビレットを、高導電性剛性フレーム１７０へと、機械加工（例えば、フライス加工、旋盤加工、ドリル加工）することができる。他の例として、銅シート又は銅プレートを、高導電性剛性フレーム１７０へと、曲げることができる及び／又は機械加工することができる。さらなる代替可能な態様として、高導電性剛性フレーム１７０は、金属成形することができる（例えば、ロスワックスプロセス）。
【０２５２】
他の代替可能な態様として、高導電性剛性フレーム１７０は、一体的な構造へと互いに連結された複数の高導電性剛性フレーム部材１７０ａ〜１７０ｈから形成される。例えば、高導電性剛性フレーム１７０は、押出加工され及び／又は機械加工され及び／又は曲げられ、その後に、互いに半田付け及び／又は溶接された、ストック材料からなる複数の高導電性部分（例えば、銅又はアルミニウム製の、ロッド、プレート、バー、チューブ）から形成される。
【０２５３】
バッテリジャンプスタート装置１１０は、図１７及び図１９に示すように、個々の抵抗器２０２ｂからなるアレイを支持するベースとして機能するプリント回路基板（ＰＣＢ）２０２ａを有した抵抗器アレイ２０２（例えば、１２Ｖで５ＡのＸＧＣ）を、更に含む。ＰＣＢ２０２ａは、また、２個の２．１アンペア（Ａ）ＵＳＢ出力ポート１２０ｃ、１２０ｄと、１８Ａで１２ＶのＸＧＣ出力ポート２０ｅと、５Ａで１２ＶのＸＧＣ入力ポート２０ｅと、を支持している。
【０２５４】
バッテリジャンプスタート装置１１０の左側面には、また、バッテリジャンプスタート装置１１０を作業灯として使用するための一対の発光ダイオード１２８（ＬＥＤｓ）も取り付けられている。例えば、ＬＥＤｓ１２８は、図１６に示すように、２個の１１００ルーメンの高輝度ＬＥＤ投光器である。ＬＥＤｓ１２８は、１００％強度と、５０％強度と、１０％強度、ＳＯＳ（緊急プロトコル）と、点滅と、ストロボと、オフと、を含めた、７つの動作モードを有し得るように構成されている。
【０２５５】
バッテリジャンプスタート装置１１０には、ＬＥＤｓ１２８からの熱を放散するためのヒートシンク１２９（図１６）が取り付けられている。例えば、ヒートシンク１２９は、熱伝導性材料（例えば、成形金属製の又は金属ダイキャスト製のプレート）から形成されている。ヒートシンク１２９には、ＬＥＤｓ１２８が過熱してしまうことを防止し得るよう、周囲雰囲気に対して熱を伝達するリブ１２９ａが設けられている。
【０２５６】
バッテリジャンプスタート装置１１０は、図１６においては、バッテリクランプ付きのバッテリケーブルであるとともにバッテリジャンプスタート装置１１０をジャンプスタート対象車両のバッテリに対して接続するためのいかなるバッテリケーブルも無い状態で図示されている。バッテリジャンプスタート装置は、バッテリクランプを有した一組をなすバッテリケーブル（例えば、正極クランプ付きの正極バッテリケーブル、及び、負極クランプ付きの負極バッテリケーブル）を取り外し可能に又は着脱可能に接続し得るように構成することができる。例えば、バッテリジャンプスタート装置１１０のカムロック１２４ａ、１２４ｂに対して着脱可能に接続され得る、図９における着脱可能なバッテリケーブル５６、５８及びバッテリクランプ６０、６２を参照されたい。これに代えて、バッテリジャンプスタート装置１１０には、図１０に示す態様と同じく又は同様に、取り外し不可能であるようにして又は着脱不可能であるようにして、装置に対して直接的に配線接続されたバッテリケーブルを取り付けることができる。
【０２５７】
例えば、図１６に示すように、バッテリジャンプスタート装置１１０の左側面には、正極（＋）カムロック１２４ａ及び負極（−）カムロック１２４ｂが設けられている。カムロック１２４ａは、正極バッテリケーブル５６の接続端部５６ａ（図１１）を着脱可能に接続し得るように構成されたレセプタクル１２５ａを含み、カムロック１２４ｂは、負極バッテリケーブル５８の接続端部５８ａを着脱可能に接続し得るように構成されたレセプタクル１２５ｂを含む。カムロック１２４ａ、１２４ｂには、バッテリジャンプスタート装置１１０の不使用時にカムロック１２４ａ、１２４ｂのそれぞれ対応するレセプタクル１２５ａ、１２５ｂを閉塞してシールするための、シールキャップ２６（図１）と同一の又は同様の、シールキャップを取り付けることができる。
【０２５８】
バッテリジャンプスタート装置２１０の第３実施形態が、図２６〜図３１に示されている。この実施形態においては、高導電性剛性フレーム２７０は、矩形形状という断面形状を有した平坦な銅製のバーストック材料から形成されている。平坦な銅製のバーは、Ｌｉイオンバッテリを少なくとも部分的に包み込んで覆い得るように、曲げられている。
【０２５９】
さらに、バッテリジャンプスタート装置２１０は、制御ノブ２１８ａ及びインターフェース２１６のためのＬＥＤｓに関するベースとして機能するとともに、バッテリジャンプスタート装置２１０の他の電気部品を支持するための、メインプリント回路基板２０８を含む。
【０２６０】
カムロックコネクタ
再度説明すると、バッテリケーブル５６、５８（図９）は、カムロック２４ａ、２４ｂ（図１）又はカムロック１２４ａ、１２４ｂ（図１６）を介して、バッテリジャンプスタート装置１０に対して着脱可能に接続することができる。
【０２６１】
カムロック２４ａ、１２４ａ、２４ｂ、１２４ｂ、及び、導電性端部５６ａ、５６ｂ（図１１）を有したケーブル５６、５８（図９）は、それぞれ、図３２〜図４５に示すように、カムロックコネクタ２７という構造を有することができる。
【０２６２】
カムロックコネクタ２７は、本発明によるバッテリジャンプスタート装置以外の電子機器に対して導電性電気ケーブルを着脱可能に接続するという、他の用途において使用することができる。
【０２６３】
カムロックコネクタ２７は、バッテリケーブル５６（図１０）をバッテリジャンプスタート装置１０に対して着脱可能に接続するためのオス型カムロック端部２７ａと、バッテリケーブル５８（図１０）をバッテリジャンプスタート装置１０に対して着脱可能に接続するためのメス型カムロック端部２７ｂと、を含む。
【０２６４】
オス型カムロック端部２７ａは、歯２７ａｂを有したピン２７ａａを含む。メス型カムロック端部２７ｂは、六角部分２７ｂｃ内に位置したスロット２７ｂｂを有したレセプタクル２７ｂａを含む。レセプタクル２７ｂａは、オス型カムロック端部２７ａのピン２７ａａ及び歯２７ａｂを収容し得るように構成されている。より詳細には、オス型カムロック端部２７ａのピン２７ａａ及び歯２７ａｂは、後述するように歯２７ａｂがメス型カムロック２７ｂの内部ネジ山の内面に対して接触するまで、所定距離の分だけ、レセプタクル２７ｂａ内へと及びスロット２７ｂｂ内へと、挿入されることができる（図３３）。オス型カムロック端部２７ａを、（例えば時計回りに）回転させることができ、これにより、オス型カムロック端部２７ａの端面部分２７ａｃがメス型カムロック端部２７ｂの端面部分２７ｂｃに対して係合するまで、メス型カムロック端部２７ｂ内において締め付けることができる。カムロック２４が、より強く締め付けられるほど、オス型カムロック端部２７ａとメス型カムロック端部２７ｂとの間の電気的接続が、より良好となる。
【０２６５】
オス型カムロック端部２７ａには、図３４に示すように、ゴム成形カバー３１が取り付けられている。これにより、オス型カムロック端部２７ａのグリップ部分を絶縁して改良することができる。高導電性ケーブル３３は、オス型カムロック端部２７ａに対して電気的に及び機械的に接続されているとともに、ゴム成形カバー３１内の通路を通して取り付けられている。
【０２６６】
オス型カムロック２７ａをなす部品が、図３５に示されている。オス型カムロック２７ａには、六角穴付き締結部材（アレンヘッド型締結部材）３９を収容するためのネジ山付き穴３７が設けられている。オス型カムロック２７ａの一端には、バッテリケーブル５６の内部導体５６ａの端部上に取り付けられた銅スリーブ４１を収容するためのレセプタクル２７ａｄが設けられている。銅スリーブ４１は、半田４３を使用することによって、内部導体５６ａ上に半田付けされている。
【０２６７】
銅スリーブ４１は、図３６に示すように、オス型カムロック端部２７ａのレセプタクル２７ａｄ内に嵌め込まれる。図３６に示すように、銅スリーブ４１がオス型カムロック端部２７ａのレセプタクル２７内へと完全に挿入されると、次に、図３７に示すように、六角穴付き締結部材がネジ山付き穴３７内へと螺着されて、締め付けられる。
【０２６８】
銅スリーブ４１とバッテリケーブル５６の内部導体５６ａとをしっかりと固定するように充分に締め付けることによってケーブル５６をオス型カムロック端部２７ａに対して機械的及び電気的に接続した時には、六角穴付き締結部材の内方端部が凹所４５を形成することに、留意されたい。
【０２６９】
ゴム成形カバー３１には、オス型カムロック端部２７ａの外面の１つ又は複数のスロット２７ａｅと協働する１つ又は複数の内方に延びる突起３１ａが設けられている（図３８）。
【０２７０】
再度説明すると、オス型カムロック端部２７ａ及びメス型カムロック端部２７ｂは、オス型カムロック端部２７ａをメス型カムロック端部２７ｂ内へと挿入して回転させた時には、互いに締め付けられ得るように構成されている。
【０２７１】
メス型カムロック端部２７ｂには、図４０に示すように、オス型カムロック端部２７ａの端部を収容するための、レセプタクル２７ｂａ及びスロット２７ｂｂが設けられている。スロット２７ｂｂには、オス型カムロック端部２７ａの歯２７ａｂに対する係止体として機能する面２７ｂｂａが設けられている。レセプタクル２７ｂａには、オス型カムロック端部２７ａの歯２７ａｂと協働するための内部ネジ山２７ｂａａが設けられている。これにより、歯２７ａｂと内部ネジ山２７ｂａａとの間に螺着連結が提供される。より詳細には、歯２７ａｂは、面２７ｂｂａと係合することにより、メス型カムロック端部２７ｂのレセプタクル２７ｂａ内へのさらなる挿入が停止される。オス型カムロック端部２７ａを回転させた時には、歯２７ａｂは、メス型カムロック端部２７ｂのレセプタクル２７ｂａの内部ネジ山２７ｂａａと係合して協働し、これにより、歯２７ａｂが内部ネジ山２７ｂａａのエッジに乗り上げることによって、メス型カムロック端部２７ｂ内におけるオス型カムロック端部２７ａの締付を開始する。オス型カムロック端部２７ａを、さらに回転させ、これにより、メス型カムロック端部２７ｂに対しての接続を、さらに締め付ける。オス型カムロック端部２７ａの面２７ａｃ（図３２）がメス型カムロック端部２７ｂの面２７ｂｄに対して係合した時には、カムロック端部２７ａ、２７ｂは、完全に係合し、回転は停止する。
【０２７２】
メス型カムロック端部２７ｂには、図４２〜図４５に示すように、カバー部分５１ａ、５１ｂを有したゴム成形カバー５１が収容される。
メス型カムロック端部２７ｂ（図４０及び図４１）には、メス型カムロック端部２７ｂをバッテリジャンプスタート装置１０に対して接続する（例えば、スマートスイッチ５０（図９）のベースプレートに対して接続する）ためのボルト４７及びロックワッシャ４９（図４１）を収容するための内部ネジ山２７ｂｆ（図４０）が設けられている。
【０２７３】
メス型カムロック端部２７ｂは、図４１〜図４３に示すように、成形ゴムカバー部分５１ａ、５１ｂ内に収容されている。成形ゴムカバー部分５１ａ、５１ｂは、メス型カムロック端部２７ｂのネジ山部分２７ｂｅ上に嵌め込まれ（図４３〜図４５）、その後、ナット５３及びロックワッシャ５５を使用して所定位置に固定される。成形ゴムカバー部５１ａは、外向きに延びる突起５１ａａを含む。
【０２７４】
電気制御スイッチバックライトシステム
バッテリジャンプ充電装置１１０には、図４６〜図５０に示すように、電気制御スイッチバックライトシステム１１１を設けることができる。
【０２７５】
電気制御スイッチバックライトシステム１１１は、例えば、制御ノブ１１８ａを有した制御スイッチ１１８と、インターフェース１１６（例えば、黒色のメンブランラベル付き）と、メインプリント回路基板４０８（図２６）と、を含む。
【０２７６】
制御ノブ１１８ａは、フィンガーグリップ１１８ｂと、透光ウィンドウ１１８ｃと、を含む。例えば、制御ノブ１１８ａは、プラスチック（例えば、黒色の射出成形プラスチック部品）から形成されている。例えば、制御ノブ１１８ａは、制御ノブ１１８ａを通しての光の透過を防止し得るように選択された有色の（例えば、黒色の）不透明なプラスチック材料から主に形成されているとともに、透光ウィンドウ１１８ｃ（例えば、透明なプラスチック材料又はシースループラスチック材料などの光透過性プラスチックによって充填されたスロット）が設けられている。例えば、透光ウィンドウ１１８ｃは、透明な又はシースルーの挿入部材を有してインサート成形される。透光ウィンドウ１１８ｃにより、プリント回路基板４０８（図２６）上に取り付けられたバックライトＬＥＤｓ４０８ａ又は４０８ｂからの光は、インターフェース１１６内の透光ウィンドウを透過し得るとともに、次いで制御ノブ１１８ａの透光ウィンドウ１１８ｃを透過することができる。ＬＥＤｓ４０８ａ又は４０８ｂを選択的に点灯させ得るよう、インターフェース１６（１１６）上の電源ボタン１６ａ（図６９）がオンとされた時には（例えば、タッチ式の電源スイッチ）、ＬＥＤｓ４０８ａ又は４０８ｂが選択的に点灯する。これに代えて、透光ウィンドウ１１８ｃは、制御ノブ１１８ａ内における、透光ウィンドウ１１８ｃとして機能する開放スロット（すなわち、空隙）とすることができる。
【０２７７】
制御スイッチ１１８は、バッテリジャンプスタート装置１１０の１２Ｖでの動作モードのための第１位置（位置１）と、バッテリジャンプスタート装置１１０の２４Ｖでの動作モードのための第２位置（位置２）と、の間にわたって回転可能とされている。
【０２７８】
インターフェース１６（１１６）には、１２Ｖ用のバックライトインジケータ１６ｃ（図６９）と、２４Ｖ用のバックライトインジケータ１６ｄ（図６９）と、バッテリジャンプ充電装置１０（１１０）の実際の動作電圧又はリアルタイムでの動作電圧を表示するための動作電圧ディスプレイ１６ｐと、電源「オン」インジケータ１６ａ（図６９）と、が設けられている。
【０２７９】
電気制御スイッチバックライトシステム１１１（図４６〜図５０）は、制御スイッチ１１８がバッテリジャンプスタート装置１１０の１２Ｖでの動作モードのための位置１に配置された時には、プリント回路基板４０８（図２６）上に取り付けられたＬＥＤｓ４０８ａ（例えば、白色ＬＥＤｓ）をオンとし得るように構成されているとともに、制御スイッチ１１８がバッテリジャンプスタート装置１１０の２４Ｖでの動作モードのための位置２に配置された時には、プリント回路基板４０８上に取り付けられたＬＥＤｓ４０８ｂ（例えば、青色ＬＥＤｓ）をオンとし得るように構成されている。図４６〜図５０に示すように、透光ウィンドウ１１８ｃは、制御ノブ１１８ａに設けられていて、制御ノブ１１８ａが位置１にある時には、インターフェース１１６上の１２Ｖ用のバックライトインジケータと一緒に点灯する。制御ノブ１１８ａが位置２にある時には、２４Ｖ用のバックライトインジケータが点灯する。
【０２８０】
充電式バッテリジャンプスタート装置１１０は、カバー１１２と、このカバー上に取り付けられたインターフェース１１６と、を含む。電気的スイッチバックライトシステムの電源は、カバー１１２内に配置される。例えば、電源は、リチウムイオンバッテリ３３２（図２６）の一方又は双方とされる。
【０２８１】
プリント回路基板４０８（図２６）には、プリント回路基板４０８（図２６）上における異なる位置に配置された及びインターフェース１１６（図４９）上における異なる位置に配置されたバックライト４０８ａ、４０８ｂが設けられている。バックライト４０８ａ、４０８ｂは、電源によって選択的に給電される。
【０２８２】
電気制御スイッチ１１８は、インターフェース１１６上に取り付けられている。電気制御スイッチ１１８は、インターフェース１１６上における異なる位置（例えば、１２Ｖ用の位置、及び、２４Ｖ用の位置）どうしの間にわたって回転可能とされている。
【０２８３】
制御ノブ１１８ａが、電気制御スイッチ１１８上に取り付けられ、制御ノブ１１８ａは、インターフェース１１６上における異なる位置どうしの間にわたって回転可能とされている。再度説明すると、制御ノブ１１８ａには、透光ウィンドウ１１８ｃが設けられている。制御ノブ１１８ａの透光ウィンドウ１１８ｃは、制御ノブ１１８ａをインターフェース１１６上における異なる位置の中の１つの位置（例えば、１２Ｖ用の位置、又は、２４Ｖ用の位置）へと選択的に回転させた時には、少なくとも２つのバックライト４０８ａ、４０８ｂ（図２６）のうちの一方によって点灯する。
【０２８４】
インターフェース１１６には、各々がインターフェース１１６上におけるそれぞれ対応する異なる位置に配置された少なくとも２つの視覚的インジケータ（例えば、１２Ｖというシンボル、及び、２４Ｖというシンボル）が設けられている。これにより、充電式バッテリジャンプスタート装置１１０の異なる動作モードを示すことができる。少なくとも２つの視覚的インジケータは、制御ノブ１１８ａをインターフェース１１６上における異なる位置の中の１つの位置へと選択的に回転させた時には、バックライト４０８ａ、４０８ｂによって選択的に点灯され得るように構成されている。
【０２８５】
少なくとも２つの視覚的インジケータ１６ｃ、１６ｄ（図６９）は、インターフェース１１６を通しての透光ウィンドウであって、それぞれ対応する異なる位置に配置された透光ウィンドウによって、構成されている。再度説明すると、少なくとも２つの視覚的インジケータ１６ｃ、１６ｄは、制御ノブをインターフェース１１６上における異なる位置の中の１つの位置へと選択的に回転させた時には、少なくとも２つのバックライト１６ｃ、１６ｄのうちの１つによって選択的に点灯する。少なくとも２つの視覚的インジケータ１６ｃ、１６ｄ（図６９）のうちの一方は、１２Ｖというシンボルであって、装置が１２ボルトでの動作モードにあることを示すものとされ、少なくとも２つの視覚的インジケータ１６ｃ、１６ｄ（図６９）のうちの他方は、２４Ｖというシンボルであって、充電式バッテリジャンプスタート装置１１０が２４ボルトでの動作モードにあることを示すものとされている。
【０２８６】
インターフェース１１６（３１６）は、このインターフェース１１６（３１６）の背面上に配置された又は背面に隣接して配置されたプリント回路基板４０８（図２６）を含む。インターフェース１１６（３１６）は、このインターフェース１１６（３１６）上における異なる位置に配置されたＬＥＤｓ４０８ａ、４０８ｂなどの少なくとも２つのライトを有している。例えば、少なくとも２つのバックライトは、プリント回路基板４０８に対して接続された少なくとも２つの発光ダイオード（ＬＥＤｓ）４０８ａ、４０８ｂとされる。
【０２８７】
制御ノブ１１８ａは、透光ウィンドウ１１８ｃとして機能し得るように構成された透明部分又はシースルー部分を有した遮光性不透明部分を含む。
【０２８８】
充電式バッテリジャンプスタート装置１１０は、図２６に示すように、カバー３１０内に配置された第１の１２Ｖバッテリ１３２（３３２）と、この第１の１２Ｖバッテリ３３２の下側に配置されかつカバーの内部に配置された第２の１２Ｖバッテリ３３２とを、更に含む。
【０２８９】
正極導電経路及び負極導電経路を有した高導電性フレーム３７０は、充電式バッテリジャンプスタート装置１１０が充電対象バッテリをジャンプ充電する時には、第１の１２Ｖバッテリ３３２及び／又は第２の１２Ｖバッテリ３３２に対して選択的に接続される。
【０２９０】
正極バッテリクランプ６０を有した正極バッテリケーブル５６（図９）は、高導電性フレーム３７０（図２６）の正極導電経路に対して接続される。負極バッテリクランプ６２を有した負極バッテリケーブル５８（図９）は、高導電性剛性フレーム３７０（図２６）の負極導電経路に対して接続される。
【０２９１】
制御スイッチ３１８（図２６）は、第１の１２Ｖバッテリ３３２及び／又は第２の１２Ｖバッテリ３３２を選択的に動作させ得るよう、高導電性フレーム３７０に対して接続されている。制御ノブ３１８ａは、充電式バッテリジャンプスタート装置１１０を１２Ｖモード又は２４Ｖモードのいずれかにおいて選択的に動作させ得るよう、１２Ｖ動作モード位置（図４９）と、２４Ｖ動作モード位置と、の間にわたって回転し得るように構成されている。
【０２９２】
充電式バッテリジャンプスタート装置１１０は、充電式バッテリジャンプスタート装置１１０がオンとされた時には、インターフェース１１６（３１６）上におけるＬＥＤｓ４０８ａ、４０８ｂ（図２６）などの少なくとも２つのバックライトのうちの一方を点灯し得るように構成されている。さらに、インターフェース１１６（３１６）は、充電式バッテリジャンプスタート装置１１０（３１０）の動作時には、装置のリアルタイム動作電圧を表示し得るように構成されている。第１の１２Ｖバッテリ３３２（図２６）と第２の１２Ｖバッテリ３３２とは、リチウムイオンバッテリとされる。
【０２９３】
制御ノブ１１８ａは、不透明材料（例えば、黒色の射出成形プラスチックポリマー材料）から形成され、透光ウィンドウ１１８ｃは、制御ノブ１１８ａにおいて、透光性材料（例えば、透明なプラスチック材料、又は、シースループラスチック材料）を充填したスロット形状の透光ウィンドウによって規定されている。制御ノブ１１８ａは、円形の外側エッジを有し、スロット形状の透光ウィンドウ１１８ｃは、制御ノブの外側エッジから内向きに延びる径方向を向くスロットとされている。制御ノブ１１８ａは、フィンガーグリップ１１８ｂを有し、スロット形状の透光ウィンドウ１１８ｃは、フィンガーグリップ１１８ｂの長手方向軸線に沿って延びている。
【０２９４】
充電式バッテリジャンプスタート装置１１０は、電源（例えば、Ｌｉイオンバッテリ３３２）と、ＬＥＤｓ４０８ａ、４０８ｂ（図２６）などの少なくとも２つのバックライトと、の間に配置された電気的位置スイッチを、更に含む。電気的位置スイッチは、制御ノブ１１８ａをインターフェース１１６上における異なる位置の中の１つの位置へと選択的に回転させた時には、少なくとも２つのバックライトのうちの一方を点灯し得るように構成されている。
【０２９５】
電気システム
図６７は、本発明の一態様による充電式バッテリジャンプスタート装置の機能ブロック図である。充電式バッテリジャンプスタート装置は、１つ又は２つの従来的な１２ボルトの鉛蓄電池又は制御弁式鉛蓄電池を搭載した車両エンジンをジャンプスタートさせるのに充分なエネルギーを蓄えている２つのリチウムポリマーバッテリパック６３２（パックＡ、及び、パックＢ）を含む。バッテリ管理システム３３３（ベイＡ）は、一方のバッテリパック６３２に対して接続され、バッテリ管理システム３３３（ベイＢ）は、他方のバッテリパック６３２に対して接続されている。一例をなす実施形態においては、高サージリチウムポリマーバッテリパック６３２は、３５１Ｐ構成の３つの３．７Ｖで２６６６ｍＡｈのリチウムポリマーバッテリを含む。得られたバッテリパック６３２の各々は、１１．１Ｖで２６６６Ａｈ（３．７Ｖにおいて８０００Ａｈ、２９．６Ｗｈ）を提供する。各バッテリパック６３２の連続放電電流は、２５Ｃ（又は、２００アンペア）であり、バースト放電電流は、５０Ｃ（又は、４００アンペア）である。各バッテリパック６３２の最大充電電流は、８０００ｍＡ（８アンペア）である。
プログラマブルマイクロコントローラユニット（ＭＣＵ）６０１は、様々な入力を受領するとともに、情報出力及び制御出力を生成する。プログラマブルＭＣＵ６０１は、ハードウェアの変更を何ら必要とすることなく、機能及びシステムパラメータの更新を可能とすることにより、システムに対して融通性を、更に提供している。一例をなす実施形態によれば、２Ｋ×１５ビットのフラッシュメモリを備えた８ビットマイクロコントローラを使用することにより、システムを制御することができる。そのようなマイクロコントローラの１つは、Ｈｏｌｔｅｋ  Ｓｅｍｉｃｏｎｄｕｃｔｏｒ  Ｉｎｃ．から市販されているＨＴ６７Ｆ３０である。
【０２９６】
車両バッテリ逆極性センサ６１０は、充電式バッテリジャンプスタート装置が車両の電気システム（例えば、車両バッテリ６７２）に対して接続された時には、車両バッテリ６７２の極性を監視する。後述するように、充電式バッテリジャンプスタート装置は、例えば、車両バッテリ６７２の端子が充電式バッテリジャンプスタート装置の誤った端子に対して接続された時には、リチウムバッテリパック６３２が車両の電気システム（例えば、車両バッテリ６７２）に対して接続されることを防止する。車両バッテリ離隔センサ６１２は、車両バッテリ６７２が充電式バッテリジャンプスタート装置に対して接続されているかどうかを検出し、出力端子に対して接続された適切な（充電可能な）バッテリが存在しない場合には、リチウムバッテリパック６７２が充電式バッテリジャンプスタート装置の出力端子（例えば、バッテリクランプ）に対して接続されることを防止する。車両バッテリの電圧計６７３は、車両バッテリ６７２の電圧を測定し、マイクロコントローラユニット６０１に対しての入力信号を提供する。
【０２９７】
スマートスイッチＦＥＴ回路６１５は、ＭＣＵ６０１によって（離隔センサ６１２によって提供される検出信号に応答して）車両バッテリが存在することが決定され、かつ、（逆極性センサ６１０によって提供される検出信号に応答して）適正な極性で接続されていることが決定された場合にのみ、リチウムバッテリパック６３２を、車両バッテリに対して接続するように電気的にスイッチングする。リチウムバッテリ温度センサ６２０Ａ、６２０Ｂの各々は、各リチウムバッテリパック６３２の温度を監視することにより、高い周囲温度条件に基づく及びジャンプスタート時の過度な電流抽出に基づく、過熱を検出することができる。リチウムバッテリ電圧測定回路６２４Ａ、６２４Ｂは、リチウムバッテリパック６３２（パックＡ、パックＢ）の電圧を監視し、これにより、充電動作時に電圧が高くなり過ぎることを防止し得るとともに、放電動作時に電圧が低くなり過ぎることを防止することができる。短絡検出センサ６２５が設けられており、これにより、充電式バッテリジャンプ充電から車両バッテリへの電力供給における短絡を検出することができる。
【０２９８】
リチウムバッテリ逆充電防止ダイオード６２８は、車両バッテリ６７２に供給されるすべての充電電流が、車両の電気システムから充電式バッテリジャンプスタート装置のリチウムバッテリパック６３２へと逆流することを防止する。懐中電灯／ＵＳＢ電源制御６３７に対して接続された懐中電灯ＬＥＤ回路６３６は、暗い状況で車両のボンネットの下の光を増強するための懐中電灯機能を提供するために設けられており、さらに、潜在的に危険な場所において車両が動作し得なくなった場合の安全の目的のために、ＳＯＳ照明機能及びストロボ照明機能も提供する。電圧調整器６４２は、マイクロコントローラユニット６０１及びセンサのための、内部動作電圧の調整を提供する。手動モード及び懐中電灯のオン／オフスイッチ６４６により、ユーザは、充電式バッテリジャンプスタート装置の電源オンを制御することができ、また、車両がバッテリを有していない場合の手動優先（オーバーライド）操作を制御することができ、さらに、懐中電灯機能を制御することができる。手動ボタンは、充電式バッテリジャンプスタート装置の電源がオンとされている場合にのみ、機能する。このボタンにより、ユーザは、バッテリが無い車両を、又は、バッテリ電圧が低すぎてマイクロコントローラユニット６０１による自動検出が不可能であるような車両を、ジャンプスタートすることができる。手動モードの不注意な駆動を防止し得るよう、手動優先ボタンを所定時間（３秒間など）にわたって押し続けた場合に、内部リチウムイオンバッテリの電源が、車両バッテリ接続ポートへと又はバッテリクランプへと、スイッチングされる。手動優先の唯一の例外は、リチウムバッテリパック６３２によって提供されるべき車両バッテリが充電式バッテリジャンプスタート装置に対して逆極性で接続されている場合である。車両バッテリが逆極性で接続されている場合には、リチウムバッテリパック６３２によって提供される内部リチウムバッテリ電力は、車両バッテリ接続ポートに対して又はバッテリクランプに対して電力を供給するようには決してスイッチングされないものとなっている。
【０２９９】
ＸＧＣ充電回路６５２Ａは、任意のＸＧＣ充電器電源からの電力を変換することにより、リチウムバッテリパック６３２（パックＡ、パックＢ）を充電するための充電電圧及び電流を提供することができる。ＸＧＣ出力回路６５２Ｂは、マイクロコントローラユニット６０１を外部デバイスに対して接続することができる。懐中電灯／ＵＳＢ電源制御６３７に対して接続されたＵＳＢ出力６５６は、スマートフォン、タブレット、及び、他の充電式電子機器、を充電するためのＵＳＢ携帯型充電器を提供する。動作インジケータＬＥＤｓ６６０は、リチウムバッテリの容量状態の視覚的表示を提供するとともに、スマートスイッチの駆動状態の表示（すなわち、車両の電気システムに対して又は車両バッテリに対して電力が供給されていることを示す）を提供する。
【０３００】
１２Ｖ／２４Ｖ主スイッチ６１８は、マイクロコントローラユニット６０１に対しての入力を提供している１２Ｖ／２４Ｖ主スイッチ読み取りリスト６１９に対して、接続されている。
【０３０１】
電気光学位置検出スイッチシステム
携帯型ジャンプスタート装置１０は、１２Ｖの車両又は機器と２４Ｖの車両又は機器（例えば、高負荷向けの２４Ｖの車両又は機器）とのいずれをもジャンプスタートさせ得るという二重の目的の充電式バッテリジャンプスタート装置として構成することができる。軽量かつ携帯型の充電式バッテリジャンプスタート装置は、２つのジャンプスタートモードすなわち２つの動作モードに関し、１２Ｖ位置と２４Ｖ位置との間にわたってのスイッチングのために、制御スイッチ（例えば、制御ノブ１８ａ付きの手動回転制御スイッチ１８）を使用する。本発明による任意の上述した充電式バッテリジャンプスタート装置には、図５１〜図５３に示すように、電気光学位置検出システム３００を設けることができる。
【０３０２】
充電式バッテリジャンプスタート装置１０においては、２つの充電式１２Ｖリチウムイオンバッテリ３２を使用する。これら２つの充電式１２Ｖリチウムイオンバッテリ３２は、１２Ｖでのジャンプスタートにおいては、並列に接続され、２４Ｖでのジャンプスタートにおいては、直列に接続される。直列接続又は並列接続は、図１及び図１２〜図１５に示す回転制御スイッチ１８によって達成され、この回転制御スイッチは、図５１に示す機能ブロック図において１２Ｖ／２４Ｖ回転制御スイッチ６１８（「主スイッチ」）として示されている。
【０３０３】
電気光学位置検出システム３００は、図５２に示されている（例えば、図６７に示す１２Ｖ／２４Ｖ主スイッチ読み取り６１９）。
【０３０４】
光学位置検出システム３００は、制御スイッチ１８の位置を読み取り得るよう、システムマイクロコントローラユニット（例えば、図６７に示すマイクロコントローラユニット６０１）のための安全かつ効果的な方法を可能とし得るように構成されている。光学位置検出システム３００は、１２Ｖと２４Ｖとの間にわたっての回転制御スイッチ１８の離間の完全性を保証し得るよう、光学的な結合を使用したセンサ３０２（図５２）を含む。
【０３０５】
光学位置検出システム３００の回路図が、図５３に示されている。回路図の上部には、トランジスタＱ２８と、抵抗Ｒ１６５、Ｒ１６８、Ｒ１６１、Ｒ１６３と、が含まれている。この回路は、メインシステムの３．３Ｖ電源が「オン」とされた時に電気的イネーブルとして機能する。このイネーブルの目的は、携帯型ジャンプスタート装置１０が「オフ」状態にある時の寄生電流を低減させることである。「オン」である時には、バッテリＡ＋からの電流は、電気的スイッチとして機能するＱ２７を通して流れることができる。
【０３０６】
Ｑ２７が「オン」である場合、電流は、両バッテリが並列に接続されている時には、バッテリＡ＋からバッテリＢ−へと流れることができる。両バッテリが直列に接続されている時には、電流は流れない。なぜなら、Ａ＋とＢ−とが、制御スイッチ１８を介して互いに接続されているからである。
【０３０７】
電流が流れていることの結果として又は電流が流れていないことの結果として、光カプラは、主スイッチがどの位置にあるかを知らせる信号を、マイクロコントローラユニットに対して提供することができる。
【０３０８】
回路図の下部（すなわち、第１の回路図の直下に位置した回路図）により、マイクロコントローラの別の入力に対して、反対の信号を提供することができる。この結果、マイクロコントローラに対して、スイッチが「中間」にあることを決定するための効果的な方法が提供される。このことは、スイッチが、１２Ｖ位置でも２４Ｖ位置でもなく、これら２つの位置の間にあることを意味している。これにより、ユーザがスイッチを使用不可の位置に放置したことを、マイクロコントローラが診断することを可能とする。
【０３０９】
デュアルバッテリダイオードブリッジ
バッテリジャンプスタート装置３１０（図２６〜図３１）には、図５４に示すように、車両バッテリがジャンプ充電された後の逆充電から保護し得るように構成された、例えば逆充電ダイオードモジュール３４８という形態の、デュアルダイオードバッテリブリッジを設けることができる。
【０３１０】
逆充電ダイオードモジュール３４８は、２つのバッテリシステム（例えば、ジャンプスタート装置３１０の２つのバッテリ）を支持するための２つのダイオードチャネル３４８ａ、３４８ｂを提供し得るように構成されているとともに、ジャンプスタート時にピーク電流出力を提供し得るように互いにブリッジされている。
【０３１１】
バッテリジャンプスタート装置３１０の単一配線接続及び二重配線接続が、図５４に示されている。構成要素どうしは、高導電性剛性フレーム３７０によって互いに接続されている。高導電性剛性フレーム１７０を構成している銅又はアルミニウム製バー部材３７０ａ〜３７０ｈ（図１６〜図２５）は、２／０銅ケーブルよりも導電性が大きい。さらに、高導電性剛性フレーム１７０の銅製バー部材どうしの間の接続ポイントは、銅ケーブルと比較して、電力損失を低減させ得るように構成されている。高導電性剛性フレーム１７０の銅又はアルミニウム製バー部材は、他の高導電性金属（例えば、アルミニウム、ニッケル、メッキ金属、銀メッキ金属、金メッキ金属、ステンレススチール、及び、他の適切な高導電性金属合金）によって置き換えることができる。
【０３１２】
逆充電ダイオードモジュール３４８という形態のデュアルダイオードバッテリブリッジが、図５５に示されている。上側のダイオードチャネル３４８ａは、第１の１２Ｖバッテリ３３２を通して流れる電流を支持しているフレーム部材３７０ｅに対して接続されており、下側のダイオードチャネル３４８ｂは、第２の１２Ｖバッテリ３３２を通して流れる電流を支持しているフレーム部材３７０ｄに対して接続されている。２つのダイオードチャネル３４８ａ、３４８ｂを通しての双方のバッテリ３３２、３３２からの合成電流は、銅製バー部材３７０ｆを通して逆充電ダイオードモジュールから出力され、バッテリジャンプスタート装置３１０の正極出力（すなわち、正極カムロック）へと到達する。
【０３１３】
逆充電ダイオードモジュール３４８は、ダイオードチャネル３４８ａ、３４８ｂによって互いに接続された、上側の高導電性プレート３７０ｅと、下側の高導電性プレート３７０ｄと、中央の高導電性プレート３７０ｆと、を含む。
【０３１４】
リープフロッグ充電システム
バッテリジャンプスタート装置１０、１１０、及び３１０は、車両及び他のシステム機能のジャンプスタートのために使用される２つの１２Ｖリチウムバッテリを使用している。これらの２つの個々のバッテリは、オペレータが１２Ｖ車両をジャンプスタートさせるか又は２４Ｖ車両をジャンプスタートさせるかに応じて、直列又は並列のどちらでも使用される。
【０３１５】
バッテリジャンプスタート装置１０、１１０、３１０は、プラグインコードを有した充電デバイス（例えば、１１４Ｖ〜１２６Ｖ（ＲＭＳ）のＡＣ充電器）を使用して、及び、充電制御デバイス（例えば、プログラマブルマイクロコントローラ）を使用して、充電することができる。各バッテリは、他方のバッテリとは個別に、バッテリジャンプスタート装置１０、１１０、３１０によって単独で充電され得るものではあるけれども、両バッテリは、「リープフロッグ充電」と称される技法を使用して、充電プロセス時には、互いに近い電位に維持される。この充電手法は、バッテリジャンプスタート装置１０、１１０、３１０が充電完了前に取り外された場合であったとしても、双方のバッテリが同電位に近いことを保証する。これにより、ジャンプスタート時及び他のシステム機能時に、均等な電力供給が提供される。
【０３１６】
バッテリジャンプスタート装置３１０には、充電デバイスが設けられる。例えば、図２６に示す回路基板４０８には、２つのリチウムイオンバッテリ３３２を再充電するための充電部材及び充電回路を設けることができる。充電部材は、例えば、リチウムイオンバッテリ３３２を再充電するための再充電回路を制御するためのプログラマブルマイクロコントローラを含む。
【０３１７】
この方法は、充電量が最も低いバッテリから始めて、他方のバッテリ３３２よりも約１００ｍＶ高くなるまで一方のリチウムイオンバッテリ３３２を充電し、その後、他のバッテリ３３２を充電するようにスイッチングすることにより、達成される。このプロセスは、双方のバッテリ３３２が完全に充電されるまで、続けられる。
【０３１８】
バッテリジャンプスタート装置３１０には、いずれのバッテリ３３２も過充電されないように保護するとともに、バッテリセルが短絡したかどうかを検出するために、安全装置が設けられる。これらの安全装置は、ピーク電圧遮断部材、及び、ソフトウェアにおける充電タイムアウト、を含む。
【０３１９】
リープフロッグ充電システム及び方法は、順次的な充電によって複数の充電式バッテリ３３２（例えば、Ｌｉイオンバッテリ）を充電し得るように設計又は構成することができる。充電シーケンスは、バッテリジャンプスタート装置３１０の動作に関係なく、双方のバッテリが完全に充電されることが確保され得るように設計又は構成することができる。このようにして、両バッテリは、定期的に完全に充電され、これにより、バッテリの使用及び寿命を最大化することができる。
【０３２０】
さらに、充電シーケンスは、バッテリの特定の充電特性（例えば、時間間隔でバッテリの発熱を低減させること、バッテリに対して最適の充電速度を適用すること、順番に充電するとバッテリの寿命が延びること）を考慮しつつ、特定のタイプの充電式バッテリを、特にリチウムイオンバッテリを、最も効果的に充電し得るように調整することができる。充電シーケンスは、例えば、両バッテリ３３２を一度に１つずつかつ交互的に、部分的に充電することとすることができる。例えば、充電シーケンスは、双方のバッテリが完全に充電されるまで、交互的な順序でバッテリ３３２を漸増的に充電し得るように構成することができる。例えば、バッテリを交互的な順序で充電するに際して、電圧増加の増分（例えば、１００ｍＶ）を選択することができる。
【０３２１】
加えて、２つのバッテリ３３２間の充電の順序づけは、充電のために他方のバッテリへとスイッチングする前に、２つ以上の増分で１つのバッテリに対しての連続的な充電を提供するように、選択又はプログラムすることができる。また、充電シーケンスは、充電中のバッテリ３３２が高温になり過ぎないように（例えば、温度制限）、又は、充電シーケンスが充電対象バッテリの充電化学に適合し得るように、１つ又は複数の休止を含むことができる。
【０３２２】
高導電性フレーム
大きな電気伝導性のフレーム（「高導電性フレーム」）３７０が、図５６〜図６２に示されている。高導電性フレーム３７０は、複数の高導電性フレーム部材３７０ａ〜３７０ｈを含む。
【０３２３】
高導電性フレーム３７０は、携帯型バッテリジャンプスタート装置１０の導電性ケーブル３４、３６、４０、４２、４４、４６、５２、５４（図９及び図１０）によって、又は、バッテリジャンプスタート装置１１０の高導電性フレーム１７０（図１６）によって、置き換えることができる。
【０３２４】
高導電性フレーム３７０は、図５６に示すように、正極導電性フレーム３７１ａと、負極導電性フレーム３７１ｂと、を含む。正極導電性フレーム３７１ａは、充電式バッテリ３３２と正極カムロック３２４ａとの間において正極導電経路を提供する高導電性フレーム部材１７０ｃ、１７０ｄ、１７０ｅ、１７０ｆを含む。負極導電性フレーム３７１ｂは、充電式バッテリ３３２と充電式バッテリジャンプスタート装置３１０の負極カムロック３２４ｂとの間において負極導電経路を提供する高導電性フレーム部材１７０ａ、１７０ｂ、１７０ｇ、１７０ｈを含む。高導電性フレーム部材３７０ａ〜３７０ｈの各々は、高導電性フレーム部材３７０ａ〜３７０ｈの接続端部どうしの間の距離にわたって電力を搬送又は伝達する。
【０３２５】
高導電性フレーム３７０は、電気的に及び機械的に互いに接続された複数の導電性フレーム部材３７０ａ〜３７０ｈを含む。例えば、高導電性フレーム部材３７０ａ〜３７０ｈの各々には、貫通穴３７１を有した接続端部が設けられ、これにより、締結部材（例えば、高導電性ナット及び高導電性ボルト）が、導電性フレーム部材３７０ａ〜３７０ｈどうしを互いに接続することができる、又は、導電性フレーム部材３７０ａ〜３７０ｈを他の電気部品（例えば、充電式バッテリ３３２、カムロック３２４ａ、３２４ｂ、逆充電ダイオードモジュール３４８、スマートスイッチ４５０）に対して接続することができる。例えば、高導電性フレーム部材３７０ａ〜３７０ｈは、互いに離間した複数の軸線に沿って曲げられた平坦な高導電性バー（例えば、銅又はアルミニウム製のバー）とされ、これにより、高導電性バー３７０ａ〜３７０ｈの各々が３次元（３Ｄ）的な構成を提供することができ、そして、これらの３次元的な構成どうしが互いに協働することにより、３次元（３Ｄ）的な高導電性フレーム３７０を規定することができる。図５６に示すように、導電性フレーム部材３７０ａ〜３７０ｈの一方又は双方の端部は、それぞれ貫通穴３７１が設けられた屈曲端部を有する。
【０３２６】
高導電性フレーム３７０は、例えば、半剛直な又は剛直な高導電性材料（例えば、銅、アルミニウム、メッキ金属、金メッキ金属、銀メッキ金属、スチール、コーティングされたスチール、ステンレススチール）から形成された高導電性の半剛直な又は剛直なフレーム３７０とすることができる。高導電性フレーム３７０は、構造的に安定であり（すなわち、移動しない、又は、屈曲しない）、そのため、携帯型ジャンプスタート装置の構成要素又は部品に対して接触することもなく電気的に短絡することもない。高導電性フレーム３７０の剛性が大きくなればなるほど、典型的には、高導電性フレーム３７０の構造的安定性は、ますます増大する。
【０３２７】
高導電性フレーム３７０は、例えばリチウムイオンバッテリ３３２などの２つのバッテリ３３２を、カムロック３２４ａ、３２４ｂに対して電気的に接続する。カムロック３２４ａ、３２４ｂは、取り外し可能な又は着脱可能な正極及び負極のバッテリケーブル５６、５８（図９）を接続する。
【０３２８】
高導電性フレーム３７０は、複数の高導電性フレーム部材３７０ａ〜３７０ｈを含む。例えば、高導電性フレーム部材３７０ａ、３７０ｂ、３７０ｃ、３７０ｄは、端子３８２ａ、３８４ａ、３８６ａ、３８８ａ（また、図１４に示す制御スイッチ１８の端子８２ａ、８４ａ、８６ａ、８８ａも参照されたい）を介して、制御スイッチ３１８に対して接続される。
【０３２９】
高導電性フレーム部材３７０ｄ、３７０ｅ、３７０ｆは、逆流ダイオードアセンブリ３４８（図１８における逆流ダイオードアセンブリ４８を参照されたい）の一部である。
【０３３０】
高導電性フレーム部材３７０ｆは、正極カムロック３２４ａ（また、図１及び図９に示す正極カムロック２４ａ、及び、図２０に示す正極カムロック１２４ａ、も参照されたい）に対して接続される。
【０３３１】
高導電性フレーム部材３７０ｇは、負極カムロック３２４ｂ（図１に示す負極カムロック２４ｂ、又は、図１９に示す負極カムロック１２４ｂ、を参照されたい）に対して接続される。
【０３３２】
高導電性フレーム部材３７０ｈは、スマートスイッチ４５０（また、図１８に示すスマートスイッチ１５０も参照されたい）に対して接続される。
【０３３３】
高導電性フレーム３７０は、Ｌｉイオンバッテリ３３２（また、図１６〜図２５に示す充電式Ｌｉイオンバッテリ１３２も参照されたい）を包み込み得るように構成された又は部分的に若しくは完全に覆い得るように構成された、３次元（３Ｄ）的な構造である。この構成は、充電式リチウムイオンバッテリ３３２から携帯型ジャンプスタート装置３１０の他の内部電気部品への最短の導電経路を提供し、これにより、正極カムロック３２４ａに対しての及び負極カムロック３２４ｂに対しての、電力出力を最大化することができる。高導電性フレーム部材３７０ａ〜３７０ｈは、互いに離間した複数の軸線に沿った複数の屈曲部分を有している。
【０３３４】
高導電性フレーム部材３７０ａ〜３７０ｈには、高導電性締結部材４０６（例えば、図１６〜図２５に示すボルト２０６ａ及びナット２０６ｂを含む導電性締結部材２０６を参照されたい）を収容するための貫通穴を有した端部が設けられる。さらに、高導電性フレーム部材３７０ａ〜３７０ｈは、Ｌｉイオンバッテリ３３２を包み込み得るようにして１つ又は複数の位置で曲げられた平坦バーストックから形成される。例えば、高導電性フレーム部材３７０ａ〜３７０ｈは、３次元（３Ｄ）的なフレーム構造を形成し得るよう、複数の位置で曲げられている。例えば、高導電性フレーム部材３７０ａ〜３７０ｈは、リング形状の貫通穴が設けられた屈曲端部を有することができる。これに代えて、高導電性フレーム３７０は、単一部材（例えば、所定形状へと曲げられたプレート又はバーからなるの単一部材、又は、互いに溶接された若しくは半田付けされた複数の部材からなる単一部材、又は、ストック材料のブロックから機械加工されてなる単一部材）として形成することができる。さらに、高導電性フレーム部材３７０ａ〜３７０ｈは、Ｌｉイオンバッテリ３３２の側面に隣接して配置され、これにより、Ｌｉイオンバッテリアセンブリと高導電性フレーム３７０との組合せを、可能な限りコンパクトなものとすることができる。
【０３３５】
高導電性フレーム３７０は、平坦な高導電性プレートストック材料（例えば、銅又はアルミニウム製のストック材料からなる平坦バー又はストリップが、所定長さへとカットされ、曲げられ、そして、穿孔される）から形成される。
【０３３６】
バッテリアセンブリ
本発明によるＬｉイオンバッテリアセンブリ３３３が、図６３〜図６６に示されている。
【０３３７】
Ｌｉイオンバッテリアセンブリ３３３は、１つ又は複数の充電式Ｌｉイオンバッテリ３３２を含む。例えば、充電式バッテリジャンプスタート装置は、２つの充電式バッテリ３３２を含む。
【０３３８】
Ｌｉイオンバッテリ３３２の各々は、互いに直列に接続された（すなわち、ある充電式バッテリセル３３５の正極タブが、隣接した充電式バッテリセル３３５の負極タブに対して接続されている）複数のバッテリセル３３５を含み、これにより、複数のバッテリセル３３５の一端部に位置しているとともに正極端子（＋）を有した１つの充電式バッテリセル３３５と、複数のバッテリセル３３５の反対側の端部に位置しているとともに負極端子（−）を有した他の充電式バッテリセル３３５と、が得られる。
【０３３９】
正極高導電性バッテリ部材３３２ａは、正極端子（＋）に対して接続され、負極高導電性バッテリ部材３３２ｂは、負極端子（−）に対して接続される。正極高導電性バッテリ部材３３２ａ及び負極高導電性バッテリ部材３３２ｂは、高導電性の、バー、プレート、ロッド、及び、チューブとすることができる。ロッド及びチューブは、高導電性フレーム３７０（図５６）に対しての接続を容易なものとし得るよう、平坦端部を有することができる。
【０３４０】
各Ｌｉイオンバッテリ３３２は、図６４〜図６６に示すように、互いに上下に積層された（すなわち、スタック構成とされた）複数のＬｉイオンバッテリセル３３２ｃを含む。
【０３４１】
Ｌｉイオンバッテリセル３３５の正極端子（＋）の正極ホイルタブ又は端部３３５ａは、正極高導電性バッテリ部材３３２ａに対して接続される（例えば、半田付け、溶接、及び／又は、機械的な固定）。Ｌｉイオンバッテリセル３３５の負極端子（−）の負極ホイルタブ又は端部３３５ｂは、負極高導電性バッテリ部材３３２ｂに対して接続される（例えば、半田付け、溶接、及び／又は、機械的な固定）。
【０３４２】
正極高導電性バッテリ部材３３２ａ及び負極高導電性バッテリ部材３３２ｂは、高導電性の平坦なプレート又はバーストック材料（例えば、銅プレート、銅バー、アルミニウムプレート、アルミニウムバー、スチールプレート、スチールバー、金属コーティングプレート、金メッキプレート、銀メッキプレート）から形成されている。正極高導電性バッテリ部材３３２ａには、充電式Ｌｉイオンバッテリ３３２の側面から外向き（すなわち、充電式バッテリセル３３５及び充電式Ｌｉイオンバッテリ３３２の長手方向軸線に対しての又は長さに対しての、横方向）に所定距離の分だけ延びた端部のところに位置した貫通穴３３２ｃが設けられている。負極高導電性バッテリ部材３３２ｂには、充電式バッテリセル３３５及び充電式Ｌｉイオンバッテリ３３２から所定距離の分だけ延びた端部のところに位置した貫通穴３３２ｃが、充電式バッテリセル３３５及び充電式Ｌｉイオンバッテリ３３２に対して横方向の向きとされて、設けられている。
【０３４３】
高導電性バッテリ部材３３２ａ、３３２ｂは、比較的厚いプレート又はバー材料から形成されている。バッテリセル３３２ｃのホイルタブ又は端部３３５ａ、３３５ｂは、図６４〜図６６に示すように、高導電性バッテリ部材３３２ａ、３３２ｂを少なくとも部分的に又は完全に包み込むことができる。さらに、高導電性バッテリ部材３３２、３３２ｂは、それぞれ対応するホイルタブ又は端部３３５ａ、３３５ｂに対して平坦な態様で接続され、これにより、それらの間の接触面積を最大化することができる。
【０３４４】
充電式バッテリセル３３５は、充電式バッテリ３３２をパッケージ化し得るよう、保護熱収縮材料によって覆われている。
【０３４５】
高導電性バッテリ部材３３２ａ、３３２ｂは、高導電性締結部材（例えば、ナット及びボルト）によって、携帯型ジャンプスタート装置３１０の、高導電性フレーム３７０（図５６〜図６２）などの高導電性フレームに対して、接続される。
【０３４６】
充電式バッテリジャンプスタート装置３１０（図２６〜図３１）は、正極端子コネクタタブ又は端部３３５ａ（図６４〜図６６）及び負極端子コネクタタブ又は端部３３５ｂを有した１つ又は複数の充電式バッテリセルを備えた充電式バッテリアセンブリを含む。正極導電性バー３３２ａは、正極端子コネクタタブ又は端部３３５ａに対して接続され、負極導電性バー３３２ｂは、負極端子コネクタタブ又は端部３３５ｂに対して接続される。高導電性フレーム３７０（図５６〜図６２）は、バッテリアセンブリ３３３（図６４〜図６６）に対して接続される。正極バッテリケーブル５６（図９及び図１０）は、例えば直接的に又はカムロック３２４ａ、３２４ｂ（図３１）を介して、高導電性フレーム３７０に対して接続される。負極バッテリケーブル５８（図９及び図１０）は、スマートスイッチ１５０（また、図９及び図１０におけるスマートスイッチ５０も参照されたい）を介して、高導電性フレーム３７０に対して電子的に接続可能である。正極バッテリクランプ６０は、正極バッテリケーブル５６に対して接続され、負極バッテリクランプ６２は、負極バッテリケーブル５８に対して接続されている。
【０３４７】
高導電性フレーム３７０は、充電式バッテリアセンブリ３３３の充電式バッテリ３３２、３３２の正極端子コネクタ３３２ａ、３３２ａから、正極バッテリケーブル５６に対する接続箇所（例えば、直接的なケーブル接続箇所、又は、カムロックを介した接続箇所）までの正極導電経路と、充電式バッテリアセンブリ３３の充電式バッテリ３３２、３３２の負極端子コネクタ３３２ｂ、３３２ｂから、負極バッテリケーブルに対する接続箇所（例えば、直接的なケーブル接続箇所、又は、カムロック３２４ａ、３２４ｂを介した接続箇所）までの負極導電経路と、を含む。
【０３４８】
図６４〜図６６に示すように、正極導電性部材３３２ａ（例えば、高導電性バー）と負極導電性部材３３２ｂ（例えば、高導電性バー）との双方は、各充電式バッテリ３３２の充電式バッテリセル３３５の長さに対して又は長手方向軸線に対して、横方向を向いている。より詳細には、正極導電性部材３３２ａ及び負極導電性部材３３２ｂは、充電式バッテリ３３２及び充電式バッテリアセンブリ３３３の両サイドから突出している。さらに、正極導電性部材３３２ａ及び負極導電性部材３３２ｂは、充電式バッテリセル３３５の幅と比較して、より幅が広いものであって（図６４）、充電式バッテリセル３３５及び充電式バッテリアセンブリ３３３の両サイドから突出している。
【０３４９】
正極端子コネクタタブ又は端部３３２ａは、充電式バッテリセル３３５のうちの、一端部において直列に接続された正極端子ホイルタブ又は端部であり、負極端子コネクタタブ又は端部３３２ｂは、充電式バッテリセル３３５のうちの、反対側の端部において直列に接続された負極ホイルタブ又は端部である。正極導電性部材３３２ａ（すなわち、高導電性バー３３２ａ）の側面は、一連の充電式バッテリセル３３５の正極ホイルタブ又は端部３３５ａに対して平坦な態様で接続され、負極導電性部材３３２ｂ（すなわち、高導電性バー３３２ｂ）の側面は、一連の充電式バッテリセル３３５の負極ホイルタブ又は端部３３５ｂに対して平坦な態様で接続されている。例えば、正極ホイルタブ又は端部３３５ａ及び負極ホイルタブ又は端部３３５ｂは、それぞれ対応する正極導電性部材３３２ａ及び負極導電性部材３３２ｂに対して半田付けされる。さらに、正極導電性部材３３２ａ（すなわち、高導電性バー３３２ａ）と負極導電性部材３３２ｂ（すなわち、高導電性バー３３２ｂ）との各々には、高導電性フレーム３７０（図５６）に対する接続のための貫通穴３３２ｃが設けられている。
【０３５０】
一連の充電式バッテリセル３３５と、正極導電性部材３３２ａ（すなわち、高導電性バー３３２ａ）及び負極導電性部材３３２ｂ（すなわち、高導電性バー３３２ｂ）と、の間の導電性を増強し得るよう、正極ホイルタブ又は端部３３５ａと負極ホイルタブ又は端部３３５ｂとは、それぞれ対応する正極導電性部材３３２ａ（すなわち、高導電性バー３３２ａ）及び負極導電性部材３３２ｂ（すなわち、高導電性バー３３２ｂ）によって少なくとも部分的又は完全に包み込まれており、さらに、それぞれ対応する正極導電性部材３３２ａ（すなわち、高導電性バー３３２ａ）及び負極導電性部材３３２ｂ（すなわち、高導電性バー３３２ｂ）に対して、半田付け及び／又は溶接されている。正極導電性部材３３２ａ（すなわち、高導電性バー３３２ａ）及び負極導電性部材３３２ｂ（すなわち、高導電性バー３３２ｂ）の端部は、それぞれ対応する正極ホイルタブ又は端部３３５及び負極ホイルタブ又は端部３３５ｂの側面から突出している。
【０３５１】
再度説明すると、充電式バッテリアセンブリを提供し得るよう、充電式バッテリセル３３５は、直列に接続されているとともに、図６４〜図６６に示すように、互いに上下に積み重ねられている。これにより、スタック構成を提供することによって、充電式バッテリアセンブリ３３３のサイズをコンパクトなものとしている。その後、多層バッテリセル３３５は、熱収縮材料で覆われて、パッケージ化される。
【０３５２】
充電式ジャンプスタート装置３１０において使用される充電式バッテリアセンブリ３３２は、正極端子コネクタ及び負極端子コネクタを有した１つ又は複数の充電式バッテリセルと、正極端子コネクタに対して接続された正極導電性バーと、負極端子コネクタに対して接続された負極導電性バーと、を含む。
【０３５３】
機能ブロック図及び回路
充電式バッテリジャンプスタート装置３１０（図２６）の機能ブロック図が、図６７に示されている。充電式バッテリジャンプスタート装置３１０の回路図が、図６８Ａ−１〜図６８Ｆ−３に示されている。
【図１】
0006932839.tif 000002
【図２】
0006932839.tif 000003
【図３】
0006932839.tif 000004
【図４】
0006932839.tif 000005
【図５】
0006932839.tif 000006
【図６】
0006932839.tif 000007
【図７】
0006932839.tif 000008
【図８】
0006932839.tif 000009
【図９】
0006932839.tif 000010
【図１０】
0006932839.tif 000011
【図１１】
0006932839.tif 000012
【図１２】
0006932839.tif 000013
【図１３】
0006932839.tif 000014
【図１４】
0006932839.tif 000015
【図１５】
0006932839.tif 000016
【図１６】
0006932839.tif 000017
【図１７】
0006932839.tif 000018
【図１８】
0006932839.tif 000019
【図１９】
0006932839.tif 000020
【図２０】
0006932839.tif 000021
【図２１】
0006932839.tif 000022
【図２２】
0006932839.tif 000023
【図２３】
0006932839.tif 000024
【図２４】
0006932839.tif 000025
【図２５】
0006932839.tif 000026
【図２６】
0006932839.tif 000027
【図２７】
0006932839.tif 000028
【図２８】
0006932839.tif 000029
【図２９】
0006932839.tif 000030
【図３０】
0006932839.tif 000031
【図３１】
0006932839.tif 000032
【図３２】
0006932839.tif 000033
【図３３】
0006932839.tif 000034
【図３４】
0006932839.tif 000035
【図３５】
0006932839.tif 000036
【図３６】
0006932839.tif 000037
【図３７】
0006932839.tif 000038
【図３８】
0006932839.tif 000039
【図３９】
0006932839.tif 000040
【図４０】
0006932839.tif 000041
【図４１】
0006932839.tif 000042
【図４２】
0006932839.tif 000043
【図４３】
0006932839.tif 000044
【図４４】
0006932839.tif 000045
【図４５】
0006932839.tif 000046
【図４６】
0006932839.tif 000047
【図４７】
0006932839.tif 000048
【図４８】
0006932839.tif 000049
【図４９】
0006932839.tif 000050
【図５０】
0006932839.tif 000051
【図５１】
0006932839.tif 000052
【図５２】
0006932839.tif 000053
【図５３】
0006932839.tif 000054
【図５４】
0006932839.tif 000055
【図５５】
0006932839.tif 000056
【図５６】
0006932839.tif 000057
【図５７】
0006932839.tif 000058
【図５８】
0006932839.tif 000059
【図５９】
0006932839.tif 000060
【図６０】
0006932839.tif 000061
【図６１】
0006932839.tif 000062
【図６２】
0006932839.tif 000063
【図６３】
0006932839.tif 000064
【図６４】
0006932839.tif 000065
【図６５】
0006932839.tif 000066
【図６６】
0006932839.tif 000067
【図６７】
0006932839.tif 000068
【図６８Ａ−１】
0006932839.tif 000069
【図６８Ａ−２】
0006932839.tif 000070
【図６８Ａ−３】
0006932839.tif 000071
【図６８Ａ−４】
0006932839.tif 000072
【図６８Ａ−５】
0006932839.tif 000073
【図６８Ａ−６】
0006932839.tif 000074
【図６８Ａ−７】
0006932839.tif 000075
【図６８Ｂ−１】
0006932839.tif 000076
【図６８Ｂ−２】
0006932839.tif 000077
【図６８Ｂ−３】
0006932839.tif 000078
【図６８Ｃ−１】
0006932839.tif 000079
【図６８Ｃ−２】
0006932839.tif 000080
【図６８Ｃ−３】
0006932839.tif 000081
【図６８Ｃ−４】
0006932839.tif 000082
【図６８Ｃ−５】
0006932839.tif 000083
【図６８Ｃ−６】
0006932839.tif 000084
【図６８Ｄ−１】
0006932839.tif 000085
【図６８Ｄ−２】
0006932839.tif 000086
【図６８Ｄ−３】
0006932839.tif 000087
【図６８Ｄ−４】
0006932839.tif 000088
【図６８Ｄ−５】
0006932839.tif 000089
【図６８Ｄ−６】
0006932839.tif 000090
【図６８Ｄ−７】
0006932839.tif 000091
【図６８Ｅ−１】
0006932839.tif 000092
【図６８Ｅ−２】
0006932839.tif 000093
【図６８Ｅ−３】
0006932839.tif 000094
【図６８Ｆ−１】
0006932839.tif 000095
【図６８Ｆ−２】
0006932839.tif 000096
【図６８Ｆ−３】
0006932839.tif 000097
【図６９】
0006932839.tif 000098